(57)【要約】  第１のデバイスと第２のデバイスの間で、通信ネットワークの１つのネットワークの１つまたは複数の通信チャネルを各々が含む、Ｌ＆ｇｅ；２個の通信パスを選択的に確立すること、第１のデバイスからの通信データ・ストリームを少なくともＬ個のサブストリームに分割すること、それらのサブストリームを、Ｌ個の通信パスを介して伝送すること、およびそれらのサブストリームを、第２のデバイスにおける処理のために組み合わせることを含む、通信ネットワーク・インフラストラクチャに全く変更を行うことなしに、１つまたは複数の通信ネットワークを介して通信を行う方法。
2007520155.tif 000002
【特許請求の範囲】
【請求項１】
１つまたは複数の通信ネットワークを介して通信を行う方法であって、
第１のデバイスと第２のデバイスの間で、前記通信ネットワークの１つのネットワークの１つまたは複数の通信チャネルを各々が含む、Ｌ≧２個の通信パスを選択的に確立すること、
前記第１のデバイスからの通信データ・ストリームを少なくともＬ個のサブストリームに分割すること、
前記サブストリームを、前記Ｌ個の通信パスを介して伝送すること、および
前記サブストリームを、前記第２のデバイスにおける処理のために組み合わせることを含む方法。
【請求項２】
前記通信パスは、異なるタイプの通信パスを含む請求項１に記載の方法。
【請求項３】
少なくとも２つの通信パスが、同一の通信ネットワークによって提供される請求項１または２に記載の方法。
【請求項４】
１つの通信ネットワークからの前記通信パスは、異なるタイプの通信パスを含む請求項３に記載の方法。
【請求項５】
少なくとも２つのサブストリームが、同一の通信パスを介して伝送される請求項１から４のいずれか一項に記載の方法。
【請求項６】
前記第１のデバイス、前記第２のデバイス、または両方のデバイスは、移動局またはデータ・サーバを含む請求項１から５のいずれか一項に記載の方法。
【請求項７】
前記移動局は、電話機、移動電話機、ＰＤＡ、デスクトップ・コンピュータ、およびラップトップ・コンピュータから成るグループの１つまたは複数を含む請求項６に記載の方法。
【請求項８】
前記データ・サーバは、さらなるデータ・サーバ、インターネット、または両方に、専用のそれぞれのデータ転送リンクを介して接続された中間データ・サーバを含む請求項６または７に記載の方法。
【請求項９】
前記通信パスの２つ以上に基づき、前記第１のデバイス、前記第２のデバイス、または両方のデバイスについての位置情報を算出することをさらに含む請求項１から８のいずれか一項に記載の方法。
【請求項１０】
前記２つ以上の通信パスは、異なる通信ネットワークからのものである請求項９に記載の方法。
【請求項１１】
さらなるデータを前記通信データ・ストリームに追加することをさらに含む請求項１から１０のいずれか一項に記載の方法。
【請求項１２】
前記さらなるデータは、前記通信データ・ストリームの前記分割に先行して、前記分割の後に、または前記分割に先行して、および前記分割の後に追加される請求項１１に記載の方法。
【請求項１３】
前記さらなるデータは、前記通信データ・ストリームの前記分割中に追加される請求項１１または１２に記載の方法。
【請求項１４】
前記さらなるデータは、前記通信の信頼性を向上させるのに利用される請求項１１から１３のいずれか一項に記載の方法。
【請求項１５】
前記通信データ・ストリームの符号化を利用して、前記通信の前記信頼性を向上させることを含む請求項１４に記載の方法。
【請求項１６】
前記さらなるデータは、前記通信のセキュリティを向上させるのに利用される請求項１１から１５のいずれか一項に記載の方法。
【請求項１７】
暗号化通信、パス・ホッピング通信、およびスペクトル拡散通信から成るグループの１つまたは複数を利用して前記通信の前記セキュリティを向上させることを含む請求項１６に記載の方法。
【請求項１８】
２つ以上のサブストリームが、異なる暗号化符号を使用して暗号化される請求項１７に記載の方法。
【請求項１９】
前記データ・ストリーム、少なくとも１つのサブストリーム、または両方を圧縮することをさらに含む請求項１から１８のいずれか一項に記載の方法。
【請求項２０】
前記通信パスの１つまたは複数は、前記通信パスの終端間で、様々な数の通信チャネルを含む請求項１から１９のいずれか一項に記載の方法。
【請求項２１】
前記通信パスの１つまたは複数は、ローミング構成の下で１つまたは複数の通信ネットワークによって提供される１つまたは複数の通信チャネルを含む請求項１から２０のいずれか一項に記載の方法。
【請求項２２】
前記通信ネットワークは、セルラー／移動ネットワーク、有線ネットワーク、および無線ネットワークから成るグループの１つまたは複数を含む請求項１から２１のいずれか一項に記載の方法。
【請求項２３】
前記通信パスは、ＧＳＭ、ＥＤＧＥ、ＧＰＲＳ、３Ｇ、ＣＤＭＡ、ＷＬＡＮ、ＬＡＮ、ケーブル、ＤＳＬ、ＡＤＳＬ、ダイヤルアップ、およびＵＷＢから成るグループの１つまたは複数を含む請求項１から２２のいずれか一項に記載の方法。
【請求項２４】
前記第１のデバイスからの前記通信データ・ストリームを少なくともＬ個のサブストリームに前記分割することは、少なくとも１つのパラメータに基づく請求項１から２３のいずれか一項に記載の方法。
【請求項２５】
前記パラメータは、１つまたは複数のユーザ選好を含む請求項２４に記載の方法。
【請求項２６】
前記パラメータは、それぞれのデータ・パスの１つまたは複数の監視される特性を含む請求項２４または２５に記載の方法。
【請求項２７】
前記通信データを前記分割することは、前記パラメータに依存して、転送中に調整される請求項２４または２６に記載の方法。
【請求項２８】
１つまたは複数の通信ネットワークの１つのネットワークの１つまたは複数の通信チャネルを各々が含む、さらなるデバイスに至るＬ≧２個の通信パスを選択的に確立するための手段と、
前記通信デバイスからの通信データ・ストリームを少なくともＬ個のサブストリームに分割するための手段と、
前記サブストリームを、前記Ｌ個の通信パスを介して前記さらなるデバイスに伝送するための手段とを含む通信デバイス。
【請求項２９】
１つまたは複数の通信ネットワークの１つのネットワークの１つまたは複数の通信チャネルを各々が含む、さらなるデバイスに至るＬ≧２個の通信パスを選択的に確立するための手段と、
データ・サブストリームを、前記Ｌ個の通信パスを介して受信するための手段と、
前記通信デバイスにおける処理のために、前記サブストリームを組み合わせて、前記さらなるデバイスからの通信データ・ストリームにするための手段とを含む通信デバイス。
【請求項３０】
通信デバイスとともに使用するための補助デバイスであって、
１つまたは複数の通信ネットワークの１つまたは複数の通信チャネルを各々が含む、さらなるデバイスに至るＬ≧２個の通信パスを選択的に確立するように前記通信デバイスに命令するための手段と、
前記通信デバイスからの通信データ・ストリームを少なくともＬ個のサブストリームに分割するための手段と、
前記サブストリームを、前記Ｌ個の通信パスを介して前記さらなるデバイスに伝送するように前記通信デバイスに命令するための手段とを含む補助デバイス。
【請求項３１】
通信デバイスとともに使用するための補助デバイスであって、
１つまたは複数の通信ネットワークの１つのネットワークの１つまたは複数の通信チャネルを各々が含む、さらなるデバイスに至るＬ≧２個の通信パスを選択的に確立するように前記通信デバイスに命令するための手段と、
前記通信デバイスにおける処理のために、前記Ｌ個の通信パスを介して前記通信デバイスにおいて受信されたデータ・サブストリームを組み合わせて、前記さらなるデバイスからの通信データ・ストリームにするための手段とを含む補助デバイス。
【請求項３２】
１つまたは複数の通信ネットワークの１つのネットワークの１つまたは複数の通信チャネルを各々が含む、さらなるデバイスに至るＬ≧２個の通信パスを選択的に確立するトランシーバと、
通信デバイスからの通信データ・ストリームを少なくともＬ個のサブストリームに分割するスプリッタとを含む通信デバイスであって、
前記トランシーバは、前記サブストリームを、前記Ｌ個の通信パスを介して前記さらなるデバイスに送信するデバイス。
【請求項３３】
１つまたは複数の通信ネットワークの１つのネットワークの１つまたは複数の通信チャネルを各々が含む、さらなるデバイスに至るＬ≧２個の通信パスを選択的に確立するトランシーバであって、
データ・サブストリームを、前記Ｌ個の通信パスを介して受信するトランシーバと、
通信デバイスにおける処理のために、前記サブストリームを組み合わせて、前記さらなるデバイスからの通信データ・ストリームにするためのコンバイナとを含む通信デバイス。
【請求項３４】
通信デバイスとともに使用するための補助デバイスであって、
１つまたは複数の通信ネットワークの１つまたは複数の通信チャネルを各々が含む、さらなるデバイスに至るＬ≧２個の通信パスを選択的に確立するように前記通信デバイスに命令するためのプロセッサと、
前記通信デバイスからの通信データ・ストリームを少なくともＬ個のサブストリームに分割するためのスプリッタとを含み、前記プロセッサは、前記サブストリームを、前記Ｌ個の通信パスを介して前記さらなるデバイスに伝送するように前記通信デバイスに命令する補助デバイス。
【請求項３５】
通信デバイスとともに使用するための補助デバイスであって、
１つまたは複数の通信ネットワークの１つのネットワークの１つまたは複数の通信チャネルを各々が含む、さらなるデバイスに至るＬ≧２個の通信パスを選択的に確立するように前記通信デバイスに命令するためのプロセッサと、
前記通信デバイスにおける処理のために、前記Ｌ個の通信パスを介して前記通信デバイスにおいて受信されたデータ・サブストリームを組み合わせて、前記さらなるデバイスからの通信データ・ストリームにするためのコンバイナとを含む補助デバイス。
【発明の詳細な説明】
【技術分野】
【０００１】
本発明は、広くは、１つまたは複数の通信ネットワークを介して通信を行う方法、および通信デバイスに関する。
【背景技術】
【０００２】
セルラー／移動ネットワーク（ＧＳＭ、ＣＤＭＡ、ＧＰＲＳ、ＥＤＧＥ、３Ｇ、その他が、そのようなネットワーク・インフラストラクチャの実例である）の枠組み内で、通信のための現在の既存の方法は、１つのセルラー／移動サービス・プロバイダのネットワーク・インフラストラクチャの１つまたは複数の基地局（ＢＳ）からの１つまたは複数のチャネルを使用して実施される。各チャネルが、データ伝送に寄与することが可能であり、このため、複数のチャネルが使用される場合、全体的なデータ転送速度が、増加されることが可能である。
【０００３】
しかし、複数のチャネルが使用されるべき場合、既存の技術は、１つまたは複数のＢＳ間の伝送、およびその他の諸機能、ならびにサービス・プロバイダによって実行される他のいくつかの機能の調整を要するので、ネットワーク・インフラストラクチャに、いくつかの変更が行われる必要がある。また、多くの場所でマルチチャネル通信は、実施されていないことがあり、このため、利用可能ではない。さらに、マルチチャネル通信が実施されている場所でさえ、マルチチャネル通信は、一様な遠隔通信の標準（ＧＳＭ、ＣＤＭＡ、その他など）の下で実施されていない可能性があり、このため、１つの場所から別の場所へのローミング（ｒｏａｍｉｎｇ）環境において利用可能でないことがある。移動体が、セルラー／移動サービス・プロバイダのセルＫ内に存在する場合、セルＫ以外のセル群に属するＢＳ群からのデータ伝送のサービス品質（ＱｏＳ）は、容認可能なレベルではないことがあり、他の諸技術が、そのＱｏＳを向上させるために組み込まれなければならないことがある。
【０００４】
セル内で利用可能なチャネルの総数は、所定であることがあるので、セルラー／移動サービス・プロバイダのネットワーク・インフラストラクチャは、そのようなサービスを要求するユーザの数が増大するにつれ、要求を支えることができないことがある。
【０００５】
また、そのサービスを単一のセルラー／移動サービス・プロバイダから得る費用も、高いことがある。さらに、そのようなサービスは、ローミング・ユーザには利用できないことがある。
【０００６】
米国特許第５７７１２２９号が、移動局（ＭＳ）と、基地局コントローラに接続された高速データ・サーバとの間の通信に関するデータ転送速度を増加させるために、同一のセルラー／移動サービス・プロバイダからのチャネル群を組み合わせるための方法を開示する。その方法は、通信が行われるために、同一のセルラー／移動サービス・プロバイダのいくつかのチャネルが、同一のセル内で利用可能でなければならないことを要求する。
また、データ転送を遅くする可能性があるいくつかのハンドオフは、それが、近隣のセル群の中でも、それだけの数のチャネルの利用可能性を要するので、同時に行われる必要がある。チャネルは、独立に制御されるものの、全体的なネットワーク・インフラストラクチャは、依然、逆マルチプレクサおよびインテリジェント周辺装置などの変更を要する。
【０００７】
ＷＯ特許公開第２００４０１６０１９号が、同一のセルラー／移動サービス・プロバイダからか、または２つの異なるセルラー／移動サービス・プロバイダからのチャネル群を組み合わせるための方法を説明する。この方法は、同一タイプ（説明では、すべてＧＳＭ）であるすべてのチャネルに適用可能であり、さらに、この方法は、ネットワーク・インフラストラクチャ、ならびに２つ以上のセルラー／移動サービス・プロバイダの間におけるローミング合意に対する変更を要する。米国特許第５７７１２２９号における方法とＷＯ２００４１０６０１９号における方法はともに、移動局（ＭＳ）と、セルラー／移動サービス・プロバイダのネットワーク・インフラストラクチャと通信するデータ・サーバとの間における通信のデータ転送速度を増加することに関わる。
【発明の開示】
【課題を解決するための手段】
【０００８】
本発明の第１の態様によれば、１つまたは複数の通信ネットワークを介して通信を行う方法が提供され、方法は、通信ネットワークの１つのネットワークの１つまたは複数の通信チャネルを各々が含む、第１のデバイスと第２のデバイスの間におけるＬ≧２個の通信パスを選択的に確立すること、第１のデバイスからの通信データ・ストリームを少なくともＬ個のサブストリームに分割すること、それらのサブストリームを、それらＬ個の通信パスを介して伝送すること、およびそれらのサブストリームを、第２のデバイスにおける処理のために組み合わせることを含む。
【０００９】
通信パスは、異なるタイプの通信パスを含んでもよい。
【００１０】
少なくとも２つの通信パスが、同一の通信ネットワークによって提供されてもよい。
【００１１】
１つの通信ネットワークからの通信パス群は、異なるタイプの通信パスを含んでもよい。
【００１２】
少なくとも２つのサブストリームが、同一の通信パス群を介して伝送されてもよい。
【００１３】
第１のデバイス、第２のデバイス、または両方のデバイスが、移動局またはデータ・サーバを含んでもよい。
【００１４】
移動局は、電話機、移動電話機、ＰＤＡ、デスクトップ・コンピュータ、およびラップトップ・コンピュータから成るグループの１つまたは複数を含んでもよい。
【００１５】
データ・サーバは、専用のそれぞれのデータ転送リンクを介して、さらなるデータ・サーバ、インターネット、またはデータ・サーバとインターネットの両方に接続された中間データ・サーバを含んでもよい。
【００１６】
方法は、通信パスの２つ以上に基づき、第１のデバイス、第２のデバイス、または両方のデバイスについての位置情報を特定することをさらに含んでもよい。
【００１７】
前記２つ以上の通信パスは、異なる通信ネットワークからのものであってもよい。
【００１８】
方法は、さらなるデータを通信データ・ストリームに追加することをさらに含んでもよい。
【００１９】
さらなるデータは、通信データ・ストリームの分割に先立って、分割の後に、または分割に先立ってと、分割の後になっての両方で、追加されてもよい。
【００２０】
さらなるデータは、通信データ・ストリームの分割中に追加されてもよい。
【００２１】
さらなるデータは、通信の信頼性を向上させるのに利用されてもよい。
【００２２】
方法は、通信データ・ストリームの符号化を利用して、通信の信頼性を向上させることを含んでもよい。
【００２３】
さらなるデータは、通信のセキュリティを向上させるのに利用されてもよい。
【００２４】
方法は、暗号化通信、パス・ホッピング（ｈｏｐｐｉｎｇ）通信、およびスペクトル拡散通信から成るグループの１つまたは複数を利用して、通信のセキュリティを向上させることを含んでもよい。
【００２５】
２つ以上のサブストリームが、異なる暗号化コードを使用して暗号化されてもよい。
【００２６】
方法は、データ・ストリーム、少なくとも１つのサブストリーム、またはその両方を圧縮することをさらに含んでもよい。
【００２７】
通信パスの１つまたは複数は、その通信パスの端点の間で、様々な数の通信チャネルを含んでもよい。
【００２８】
通信パスの１つまたは複数は、ローミング構成の下で１つまたは複数の通信ネットワークによって提供される１つまたは複数の通信チャネルを含んでもよい。
【００２９】
通信ネットワークは、セルラー／移動ネットワーク、有線ネットワーク、および無線ネットワークから成るグループの１つまたは複数を含んでもよい。
【００３０】
通信パスは、ＧＳＭ、ＥＤＧＥ、ＧＰＲＳ、３Ｇ、ＣＤＭＡ、ＷＬＡＮ、ＬＡＮ、ケーブル、ＤＳＬ、ＡＤＳＬ、ダイヤルアップ、およびＵＷＢから成るグループの１つまたは複数を含んでもよい。
【００３１】
第１のデバイスからの通信データ・ストリームを少なくともＬ個のサブストリームへ分割することは、少なくとも１つのパラメータに基づいてもよい。
【００３２】
パラメータは、１つまたは複数のユーザ選好を含んでもよい。
【００３３】
パラメータは、それぞれのデータ・パスの１つまたは複数の監視される特性を含んでもよい。
【００３４】
通信データの分割は、パラメータに依存して、転送中に調整されてもよい。
【００３５】
本発明の第２の態様によれば、１つまたは複数の通信ネットワークの１つのネットワークの１つまたは複数の通信チャネルを各々が含む、さらなるデバイスに至るＬ≧２個の通信パスを選択的に確立するための手段と、通信デバイスからの通信データ・ストリームを少なくともＬ個のサブストリームに分割するための手段と、それらのサブストリームを、それらＬ個の通信パスを介して、そのさらなるデバイスに伝送するための手段とを含む通信デバイスが提供される。
【００３６】
本発明の第３の態様によれば、１つまたは複数の通信ネットワークの１つのネットワークの１つまたは複数の通信チャネルを各々が含む、さらなるデバイスに至るＬ≧２個の通信パスを選択的に確立するための手段と、データ・サブストリームを、それらＬ個の通信パスを介して受信するための手段と、通信デバイスにおける処理のために、それらのサブストリームを組み合わせて、そのさらなるデバイスからの通信データ・ストリームにするための手段とを含む通信デバイスが提供される。
【００３７】
本発明の第４の態様によれば、通信デバイスとともに使用するための補助デバイスが提供され、補助デバイスは、１つまたは複数の通信ネットワークの１つまたは複数の通信チャネルを各々が含む、さらなるデバイスに至るＬ≧２個の通信パスを選択的に確立するように通信デバイスに命令するための手段と、通信デバイスからの通信データ・ストリームを少なくともＬ個のサブストリームに分割するための手段と、それらのサブストリームを、それらＬ個の通信パスを介して、そのさらなるデバイスに伝送するように通信デバイスに命令するための手段とを含む。
【００３８】
本発明の第５の態様によれば、通信デバイスとともに使用するための補助デバイスが提供され、補助デバイスは、１つまたは複数の通信ネットワークの１つのネットワークの１つまたは複数の通信チャネルを各々が含む、さらなるデバイスに至るＬ≧２個の通信パスを選択的に確立するように通信デバイスに命令するための手段と、通信デバイスにおける処理のために、それらＬ個の通信パスを介して通信デバイスにおいて受信されたデータ・サブストリームを組み合わせて、そのさらなるデバイスからの通信データ・ストリームにするための手段とを含む。
【００３９】
本発明の第６の態様によれば、１つまたは複数の通信ネットワークの１つのネットワークの１つまたは複数の通信チャネルを各々が含む、さらなるデバイスに至るＬ≧２個の通信パスを選択的に確立するトランシーバと、通信デバイスからの通信データ・ストリームを少なくともＬ個のサブストリームに分割するスプリッタとを含み、トランシーバは、それらのサブストリームを、それらＬ個の通信パスを介して、そのさらなるデバイスに伝送する通信デバイスが提供される。
【００４０】
本発明の第７の態様によれば、１つまたは複数の通信ネットワークの１つのネットワークの１つまたは複数の通信チャネルを各々が含む、さらなるデバイスに至るＬ≧２個の通信パスを選択的に確立する、それらＬ個の通信パスを介してデータ・サブストリームを受信するトランシーバと、通信デバイスにおける処理のために、それらのサブストリームを組み合わせて、そのさらなるデバイスからの通信データ・ストリームにするためのコンバイナ（ｃｏｍｂｉｎｅｒ）とを含む通信デバイスが提供される。
【００４１】
本発明の第８の態様によれば、通信デバイスとともに使用するための補助デバイスが提供され、補助デバイスは、１つまたは複数の通信ネットワークの１つまたは複数の通信チャネルを各々が含む、さらなるデバイスに至るＬ≧２個の通信パスを選択的に確立するように通信デバイスに命令するためのプロセッサと、通信デバイスからの通信データ・ストリームを少なくともＬ個のサブストリームに分割するスプリッタとを含み、プロセッサは、それらのサブストリームを、それらＬ個の通信パスを介して、そのさらなるデバイスに伝送するように通信デバイスに命令する。
【００４２】
本発明の第９の態様によれば、通信デバイスとともに使用するための補助デバイスが提供され、補助デバイスは、１つまたは複数の通信ネットワークの１つのネットワークの１つまたは複数の通信チャネルを各々が含む、さらなるデバイスに至るＬ≧２個の通信パスを選択的に確立するように通信デバイスに命令するためのプロセッサと、通信デバイスにおける処理のために、それらＬ個の通信パスを介して通信デバイスにおいて受信されたデータ・サブストリームを組み合わせて、そのさらなるデバイスからの通信データ・ストリームにするためのコンバイナと、を含む。
【００４３】
本発明の諸実施形態は、単に例として、図面に関連して、以下に記載される説明から、より良く理解され、当業者には直ちに明白となろう。
【発明を実施するための最良の形態】
【００４４】
図１は、複数のセルラー／移動サービス・プロバイダ１０２、１０４が、地理的区域内に存在するシナリオを示す。移動体１０６が、どこに位置しているかに関わらず、移動体１０６は、複数のセルラー／移動サービス・プロバイダのセル内、すなわちセル１０８内およびセル１１０内に入っている。これは、セル・レイアウト、およびネットワーク設計の他の諸態様は、一般に、セルラー／移動サービス・プロバイダごとに異なる、あるいは公知ではないことがあるものの、各サービス・プロバイダは、加入者の移動体に、その移動体が、カバレッジの地理的区域内に入っている場合はいつでも、サービスを提供するという事実による。
【００４５】
加えて、図２に示されるとおり、例えば、符号１１２において示される、無線ローカル・エリア・ネットワーク（ＷＬＡＮ）および有線ネットワーク（一般に、ローカル・エリア・ネットワークまたはＬＡＮ、ケーブル、電話ダイヤルアップ、ＡＤＳＬ、ＤＳＬなどと称される）を介して、インターネット、および関連するサービス群へのアクセスを可能にする地域群（急速にカバレッジおよび数が成長している）が存在する。このため、データ通信サービスにアクセスするためにユーザが有するかもしれない複数のオプションが存在する。それらのオプションは、ユーザが、アクセスすることを所望するかもしれない通信の性質にさらに依存してもよい。例えば、音声コールは、セルラー／移動サービス・プロバイダのネットワーク上でだけ、移動電話機１０６を使用して開始されるかもしれない。しかし、インターネット・アクセス（電子メール、企業サーバ、コンピュータ、その他へのアクセスを含む）は、他のいくつかのネットワーク上で可能であるかもしれない。
【００４６】
通信サービスの高まる必要性、およびより高速のデータ転送速度を有する必要性とともに、いずれのサービスに関しても、ますます高いデータ転送速度を提供するシステムが発明されてきた。実例には、セルラー／移動システムのための２Ｇ（ＩＳ−９５、ＧＳＭ）ないし２．５Ｇ（ＧＰＲＳ、ＨＳＣＳＤ、ＥＤＧＥ、その他）ないし３Ｇ（ＷＣＤＭＡ、ＣＤＭＡ２０００、ＵＭＴＳ）、有線システムのためのダイヤルアップ、ＤＳＬ、ＡＤＳＬ、ケーブル、ＬＡＮ、ＭＡＮ、その他を介するインターネット・アクセス、および無線システムのためのＷＬＡＮ、Ｂｌｕｅｔｏｏｔｈ、ＵＷＢが含まれる。これらのシステムの各々が、それ自体で完全（ｓｅｌｆ−ｓｕｆｆｉｃｉｅｎｔ）であり、システムが、意図して設計されているサービスを単独で提供するのに使用されることが可能であるという点で、他のシステムとは独立である。各ユーザには、通信システム上のあるリソースが与えられ、そのリソースが、ユーザによって、通信サービスにアクセスするのに使用される。「チャネル」と呼ばれるこのリソースは、ユーザ自身によってか、あるいはユーザが通信する必要性を通信システムが認識した場合に、システムによって要求されると、ユーザに割り当てられる。チャネルの割り当て、および、次いで、チャネルの使用は、通信サービス・プロバイダによって制御され、ユーザ認証、およびその他のステップを要求することがある。
【００４７】
所与の通信サービス・プロバイダ上でユーザに割り当てられる各チャネルには、そのチャネルの能力および限界が付随する。例えば、音声コールを行うためにユーザに割り当てられるＧＳＭチャネルは、通常、９６００ｂｐｓの速度でデータを伝送する。このため、ユーザが、ＧＳＭチャネル上で、９６００ｂｐｓより高い速度でデータを送信することを所望する場合、それは、可能でないことがある。また、これは、ユーザが、より高いデータ転送速度、およびその他の向上したＱｏＳ測度を求めると、ユーザに根本的な課題も生じさせる。また、異なる通信サービス・プロバイダは、プロバイダが、互いに競合していることがあるので、向上したＱｏＳをユーザに提供するように、必ずしも互いに協力しないこともある。
【００４８】
本発明の例示的な諸実施形態は、サービス・プロバイダのインフラストラクチャの変更が、全く要求されない形で、様々な利用可能な通信リソースを組み合わせながら、データ転送速度およびＱｏＳの向上を実現するための方法を提供する。
【００４９】
例示的な諸実施形態は、少なくとも３つのタイプの通信、（ｉ）移動局と、その移動局の無線／セルラー／移動サービス・プロバイダ（群）と通信するデータ・サーバとの間における高いデータ転送速度の（高速）通信、（ｉｉ）移動局と別の移動局の間における、それら２つの移動局の無線／セルラー／移動サービス・プロバイダが、同一であっても、または同一でなくてもよい、高いデータ転送速度の通信（ピアツーピア通信）、および（ｉｉｉ）移動局とインターネットの間における、その移動局の無線／セルラー／移動サービス・プロバイダと通信する中間データ・サーバを介する高いデータ転送速度の（高速）通信を可能にする。例示的な諸実施形態では、ハンドシェークが、それら２つの通信するエンティティ間（移動局とデータ・サーバの間、２つの移動局間）で確立される。使用されるべき独立の通信チャネル群、実際のデータ転送プロトコルの詳細、およびアドレス指定、その他が、確立される。次いで、高速データ通信が始まる。例示的な諸実施形態は、有線／セルラー／移動／無線であることが可能な通信サービス・プロバイダのインフラストラクチャを同時に、独立に使用する２つの通信するエンティティ間（移動局とデータ・サーバの間、移動局と移動局の間）において、高いデータ転送速度、かつ高ＱｏＳの通信を可能にするようにさらに拡張される。
【００５０】
第１の例示的な実施形態は、１つまたは複数のセルラー／移動サービス・プロバイダによってサービスを提供される移動局と、その移動局のセルラー／移動サービス・プロバイダと通信するデータ・サーバとの間の高速通信を、パケット交換（例えば、インターネット）網または回線交換（電話網などの）網を介して提供する。
【００５１】
図３を参照されたい。第１の実施形態では、移動局３００（電話機、ＰＤＡ、ラップトップ・コンピュータ、その他）を有するユーザが、１つまたは複数のサービス・プロバイダを利用するデータ伝送を使用する。これは、例えば、テレビ会議、電子メール、Ｗｅｂサイト／コンピュータ・サーバ・アクセス、その他の結果として生成されることが可能なデータにアクセスするためである。第１の実施形態では、移動局３００は、それぞれのサービス・プロバイダ、例えば、３０３、３０５、３０７によって提供される異なる通信パス、例えば、３０２、３０４、３０６を選択的に利用する。通信パス３０２、３０４、３０６の各々は、移動局３００と通信するために、それぞれのサービス・プロバイダ３０３、３０５、３０７の１つまたは複数の通信チャネルを使用する。１つまたは複数のサービス・プロバイダからの通信チャネル群およびネットワーク・インフラストラクチャの同時使用は、独立した形で行われる。このため、それぞれのサービス・プロバイダのインフラストラクチャ群のインフラストラクチャに、全く変更は行われなくてもよい。
【００５２】
Ｎ個のサービス・プロバイダＭ１、Ｍ２、．．．、ＭＮが存在するものと想定されたい。これらのサービス・プロバイダの各プロバイダは、データ通信のために、それぞれのサービス・プロバイダのネットワーク上で、１つまたは複数のチャネルを通信パスとして移動局３００に提供しているセルラー／移動サービス・プロバイダであってもよい。移動局３００は、加入またはＳＩＭ（３Ｇの場合、ＵＳＩＭ）カード、あるいはサービスのＩＤ（ｉｄｅｎｔｉｔｙ）を確立するための、他の何らかの同等の方法またはモデムを介して、それぞれのサービス・プロバイダに加入すると想定されたい。
【００５３】
第１の実施形態では、移動局３００は、１つまたは複数のサービス・プロバイダ、例えば、ＢａｓＳＰ  Ｍ１  ３０３、ＢａｓＳＰ  Ｍ２  ３０５、．．．、ＢａｓＳＰ  ＭＬ  ３０７に加入し、移動局３００は、Ｌ  ＳＩＭカードを有する。ＳＩＭカードの１つまたは複数、あるいはすべてが、同時に、独立に使用されて、高いデータ転送速度の通信を実現するように組み合わされる、それぞれのサービス・プロバイダからの１つまたは複数の通信パスを受信する。すべてのサービス・プロバイダが、異なる必要はないことに留意されたい。例えば、ＢａｓＳＰ  Ｍ１  ３０３は、ＢａｓＳＰ  Ｍ２  ３０５と同一であってもよい。その一実施形態では、高いデータ転送速度の通信は、移動局３００において、データを受信／送信することができるＬ個の独立のユニットを取得し、次いで、データ・コンバイナ／スプリッタ（これは、ハードウェアとしてか、またはソフトウェアとして実現される）を有することによって実現される。また、同等のデータ・コンバイナ／スプリッタが、データ・サーバ３１０においても使用される。
【００５４】
単一のＳＩＭ（３Ｇの場合、ＵＳＩＭ）カード、または他の同等のモデムが、マルチチャネル通信パスを確立するように構成されてもよいことに留意されたい。代替的に、かつ／または追加的に、複数の単一チャネルＳＩＭ（３Ｇの場合、ＵＳＩＭ）カード、または他の同等のモデムが、利用されてもよく、１つまたは複数の単一チャネルＳＩＭ（３Ｇの場合、ＵＳＩＭ）カード、または他の同等のモデムが、特定のサービス・プロバイダのマルチチャネル通信パスを形成するのに使用される。
【００５５】
データの分割は、例示的な諸実施形態では、以下の形で行われてもよい。
（ａ）元のデータを取得し、各パス向けの複数のサブストリームに分割し、次いで、サブストリームの各々に関して、各パスに関して独立の形で、パケット交換網を介して伝送するためのＩＰパケットを作成する、
（ｂ）データを取得し、パケット交換網を介して伝送するためのＩＰパケットを作成し、次いで、各パスに関するＩＰパケットのサブストリームを作成する、
（ｃ）データを取得し、パケット交換網を介して伝送するためのＩＰパケットを作成し、次いで、各ＩＰパケットを、それぞれのパス向けの複数のサブパケットに分割し、各サブパケットを、各パスに関して、パケット交換網を介してサブストリームとして伝送するためのＩＰパケットに再カプセル化する。
【００５６】
データの分割は、少なくとも１つのパラメータに基づくことが可能である。パラメータは、１つまたは複数のユーザ選好、それぞれのデータ・パスの１つまたは複数の監視される特性、またはその両方を含んでもよい。データの分割は、パラメータに依存して、転送中に調整されてもよい。パラメータには、費用、データ転送速度にかかる時間、遅延、パス品質、その他が含まれてもよい。
【００５７】
Ｌ  ＳＩＭカードの１つまたは複数、あるいはすべてが、データを通信するのに使用され（ＧＳＭ、ＧＰＲＳ、３Ｇ、ＣＤＭＡ、以上の組み合わせ、または他のデータ伝送技術を使用して）、このため、総計で、全体的なデータ転送速度は、１つだけのＳＩＭカード、および１つのサービス・プロバイダを使用して実現可能なデータ転送速度をはるかに超えている。データを送信／受信することができるＬ個の独立のユニットは、個々の通信パスが、Ｌ個のサービス・プロバイダの各々に関して同一である場合、同一であることが可能である。例えば、ＧＰＲＳモデムは、あるセルラー／移動サービス・プロバイダからの１つまたは複数のチャネル上で、データを送信／受信することができる。また、ユニット群は、個々の通信パスの各々によって提供されるデータ伝送、およびその他のＱｏＳが、異なる場合、異なってもよい。移動局３００およびデータ・サーバ３１０は、いずれのサービス・プロバイダを使用するか選択する際、および通信パスの１つまたは複数向けにデータを分割するタスクを実施する際、通信パスの各々の特性を考慮に入れる。この特性には、各通信パスのデータ転送速度能力、データ要件、価格設定、チャネル条件、およびその他のＱｏＳパラメータが含まれる。
【００５８】
データ・サーバ３１０は、パケット交換（例えば、インターネット）網または回線交換（電話網などの）網を介して、移動局３００のセルラー／移動サービス・プロバイダと通信する。
【００５９】
移動局３００またはデータ・サーバ３１０は、サービス・プロバイダの１つを介して互いに初期連絡を確立し（例えば、移動局識別のためにＳＩＭカードが使用される）、これにより、データ転送のために使用される１つまたは複数の通信パスの組が、確立され、次いで、そのそれぞれのサービス・プロバイダ向けのＳＩＭカードを介して、その組の中のサービス・プロバイダ群に連絡が行われて、通信パスの各パス上でデータ転送を確立する。次いで、送信機（つまり、移動局３００、またはデータ・サーバ３１０）が、高速データ・ストリームを取得し、それらのデータ・ストリームを、通信パスの各パスを介して伝送するのに適した別々のデータ・サブストリームに分割する。受信機（つまり、移動局３００、またはデータ・サーバ３１０）が、それらの通信パスを介して着信するデータ・ストリームを取得し、それらの通信パスを組み合わせて、最終的な使用のための１つのデータ・ストリームにする。また、使用されるべき通信パスの組は、すべてのデータ転送に関して、移動局３００およびデータ・サーバ３１０において特定され、格納されてもよい。また、その組は、動的な性質であってもよい。
【００６０】
単一の通信パス「内」で、利用されるチャネルの数は、通信パスの端点間で、例えば、例示的な実施形態では、移動局とデータ・サーバの間で、異なってもよいことに留意されたい。そのような実施形態では、サービス・プロバイダは、一方で、移動局と、基地局またはスイッチ・アーキテクチャなどの、ネットワーク・インフラストラクチャの中間要素との間で複数の通信チャネルを提供していてもよく、他方で、その中間要素とデータ・サーバの間で、専用高速通信リンクであってもよい単一の通信チャネルを提供していてもよい。
【００６１】
以下では、第１の例示的な実施形態の異なる応用シナリオが説明される。
Ａ．データ・サーバと移動局の間のデータ通信  １つまたは複数のセルラー／移動サービス・プロバイダからの１つのチャネル。移動局３００が、パス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、３つのセルラー／移動サービス・プロバイダ（例えば、シンガポール国におけるＳｉｎｇｔｅｌ、Ｍ１、およびＳｔａｒＨｕｂ）が存在する場合、次いで、移動局３００は、ＧＰＲＳサービスのために、それら３つの各々に加入し、３つのＳＩＭカード（各々から１つの）を使用してもよい。このため、３つまでの独立した、同時のＧＰＲＳ接続が、データ・サーバ３１０と通信するように確立されることが可能である。これは、それら３つのセルラー／移動サービス・プロバイダの現在、既存のネットワーク・インフラストラクチャに対する変更を全く要さない。
Ｂ．データ・サーバと移動局の間のデータ通信  １つまたは複数のセルラー／移動サービス・プロバイダからの１つまたは複数のチャネル。移動局３００が、セルラー／移動サービス・プロバイダの各々からのパス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、３つのセルラー／移動サービス・プロバイダ（例えば、シンガポール国におけるＳｉｎｇｔｅｌ、Ｍ１、およびＳｔａｒＨｕｂ）が存在する場合、次いで、移動局３００は、ＧＰＲＳサービスのために、それら３つの各々に加入し、５つのＳＩＭカード（ＳｉｎｇＴｅｌから２つ、Ｍ１から２つ、ＳｔａｒＨｕｂから１つの）を使用してもよい。このため、５つまでの独立した、同時のＧＰＲＳ接続が、データ・サーバ３１０と通信するように確立されることが可能である。これは、それら３つのセルラー／移動サービス・プロバイダの現在、既存のネットワーク・インフラストラクチャに対する変更を全く要さない。
Ｃ．データ・サーバと移動局の間のデータ通信  １つまたは複数のセルラー／移動サービス・プロバイダからの、場合により異なるタイプの１つまたは複数のチャネル。移動局３００が、セルラー／移動サービス・プロバイダの各々からのパス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、３つのセルラー／移動サービス・プロバイダ（例えば、シンガポール国におけるＳｉｎｇｔｅｌ、Ｍ１、およびＳｔａｒＨｕｂ）が存在する場合、次いで、移動局３００は、セルラー／移動サービスのために、それら３つの各々に加入し、５つのＳＩＭカード（ＧＳＭ用に１つと、ＧＰＲＳ用に１つのＳｉｎｇＴｅｌから２つ、ともにＧＰＲＳのＭ１から２つ、３Ｇ用にＳｔａｒＨｕｂから１つの）を使用してもよい。異なるデータ転送速度、および異なるＱｏＳを有する５つまでの独立した、同時のＧＰＲＳ接続が、データ・サーバ３１０と通信するように確立されることが可能である。これは、それら３つのセルラー／移動サービス・プロバイダの現在、既存のネットワーク・インフラストラクチャに対する変更を全く要さない。
Ｄ．データ・サーバと移動局の間のデータ通信  １つのセルラー／移動サービス・プロバイダからの、場合により異なるタイプの１つまたは複数のチャネル。移動局３００が、セルラー／移動サービス・プロバイダからのパス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、シンガポール国におけるＳｉｎｇＴｅｌに関して、移動局は、ＳｉｎｇＴｅｌに加入し、５つのＳＩＭカード（ＧＳＭ用に１つ、ＧＰＲＳ用に２つ、ならびに３Ｇ用に２つの）を使用してもよい。このため、異なるデータ転送速度、および異なるＱｏＳを有する５つまでの独立した、同時の接続が、データ・サーバ３１０と通信を確立するように確立されることが可能である。これは、ＳｉｎｇＴｅｌの現在、既存のネットワーク・インフラストラクチャに対する変更を全く要さない。さらに、移動局３００は、すべてＧＰＲＳ用の、Ｓｉｎｇｔｅｌに対する５つのＳＩＭカードに加入してもよい。このため、５つまでの独立した、同時の接続が、データ・サーバ３１０と通信するように確立されることが可能である。
【００６２】
第２の例示的な実施形態が、図４に関連して説明される。１つまたは複数のセルラー／移動サービス・プロバイダ、およびその他のネットワーク（有線、無線）によってサービスを提供される移動局と、移動局のそれらのサービス・プロバイダに接続されたデータ・サーバとの間の高速通信が、第２の例示的な実施形態において可能にされる。
【００６３】
１つまたは複数のセルラー／移動サービス・プロバイダ、例えば、４０１の複数のセル内に存在することに加えて、移動局４００はまた、移動局４００の実際の位置に依存して、１つまたは複数の有線／無線ネットワーク、例えば、４０２／４０４（ＷＬＡＮ、ＬＡＮ、ケーブル、ＤＳＬ、ＡＤＳＬ、その他などの）からデータを送信／受信することもできる。
【００６４】
この例示的な実施形態では、移動局４００は、データ転送速度、およびその他のＱｏＳパラメータをさらに向上させるために、それらの有線／無線ネットワーク上の、例えば、４０２／４０４上の１つまたは複数のチャネルの利用可能性の利点を活用する。１つまたは複数のサービス・プロバイダ、例えば、４０１、無線ネットワーク、例えば、４０４、および有線ネットワーク、例えば、４０２からのすべての通信パスが、独立に／同時に組み合わされて、移動局４００とデータ・サーバ４１０の間における高いデータ転送速度の通信が可能になる。
【００６５】
以下では、第２の実施形態に関する異なる応用シナリオが説明される。
Ａ．データ・サーバと移動局の間のデータ通信  有線ネットワークからの１つまたは複数のチャネル、および無線ネットワークからの１つまたは複数のチャネル。例えば、移動局４００が、この場合、１つまたは複数のＷＬＡＮチャネル、ならびにＤＳＬ接続を使用して、データ・サーバ４１０と通信することができる。
Ｂ．データ・サーバと移動局の間のデータ通信  有線ネットワーク、無線ネットワーク、およびセルラー／移動ネットワークからの１つまたは複数のチャネル。例えば、移動局４００が、３Ｇを使用して、データ・サーバ４１０と通信してもよい。移動局４００が、ＷＬＡＮ４０４の利用可能性を検出すると直ちに、移動局４００は、この場合、データ・サーバ４１０と通信するのにＷＬＡＮと３Ｇの両方が使用されるモードに切り替えてもよい。また、有線ネットワーク、例えば、４０２が利用可能な場合、追加されてもよい。これには、（ｉ）有線チャネル（ケーブル、ダイヤルアップ、およびＡＤＳＬ）だけが使用される場合の実施形態、または（ｉｉ）無線チャネル（ＷＬＡＮ、ＵＷＢの１つまたは複数のチャネル）だけが使用される場合の実施形態、または（ｉｉｉ）セルラー／移動チャネルの１つまたは複数のチャネルだけが使用される場合の実施形態、または（ｉｖ）以上の組み合わせが使用される場合の実施形態が含まれる。
【００６６】
一部のケースでは、既存のデータ・サーバ４１０の構成を変更しないことが望ましいことがある。この問題に対処し、それでも、サービス・プロバイダ群のネットワーク・インフラストラクチャの構成を変更することなしに、移動局とデータ・サーバの間における高速で、高ＱｏＳの通信を可能にするため、以下の２つの実施形態が説明される。中間データ・サーバが、データ・サーバ（つまり、データの送信元および／または宛先）と通信サービス・プロバイダ群のインフラストラクチャの間に配置される。中間データ・サーバは、好ましくは、十分に確立されたシステムおよび方法を使用する高速リンクを介して、データ・サーバと通信する。さらに中間データ・サーバは、好ましくは、十分に確立されたシステムおよび方法を使用する高速リンクを介して、インターネットにも接続される。データ分割およびデータ組み合わせ、ユーザ認証、ならびに（ｉ）移動局とデータ・サーバの間、および（ｉｉ）移動局とインターネットの間で、高速で、高ＱｏＳの通信を提供することに関連する他の多くのサービスを可能にするのは、中間データ・サーバである。
【００６７】
図５に関連して以下に説明される第３の例示的な実施形態では、１つまたは複数のセルラー／移動サービス・プロバイダ、例えば、５０２によってサービスを提供される移動局５００と、データ・サーバ５０４またはインターネット５０６との間の高速通信が、可能にされる。データ・サーバ５０４は、好ましくは、高速リンク５１０を介して、中間データ・サーバ５０８と通信する。同様に、中間データ・サーバ５０８は、好ましくは、高速リンク５１２を介して、インターネット５０６と通信する。中間データ・サーバ５０８は、パケット交換（例えば、インターネット）網または回線交換（電話網などの）網を介して、移動局５００のセルラー／移動サービス・プロバイダ、例えば、５０２と通信する。
【００６８】
第３の例示的な実施形態は、前段で説明された第１の例示的な実施形態と同様であり、中間データ・サーバ５０８は、データ・サーバ５０８と、移動局５００の通信サービス・プロバイダ、例えば、５０２との間に配置されるという変更を伴う。この中間データ・サーバ５０８は、データ・サーバ５０４への高速アクセスを可能にするだけでなく、高速で、高ＱｏＳのインターネット５０６アクセスのために使用されることも可能である。中間データ・サーバ５０８は、好ましくは、十分に確立されたシステムおよび方法を使用するそれぞれの高速リンク５１０、５１２を介して、データ・サーバ５０４およびインターネット５０６と通信する。
【００６９】
移動局５００は、この場合、中間データ・サーバ５０８と通信し、サーバ５０８は、次に、（ｉ）移動局５００とデータ・サーバ５０４の間、および（ｉｉ）移動局５００とインターネット５０６の間のデータ通信に要求される諸機能を実行する。それらの機能には、（ｉ）ユーザ認証、（ｉｉ）データ・サーバ５０４から情報を取得すること／受信すること、そのデータを分割すること、およびそのデータを移動局５００に通信すること、（ｉｉｉ）異なるチャネル群を介して移動局５００から情報を受信すること／取得すること、データを組み合わせること、およびそのデータを、データ・サーバ５０４に、またはインターネット５０６に通信することなどのタスクが含まれる。
【００７０】
以上の説明、および第１の例示的な実施形態の説明を所与として、第３の実施形態における方法の完全さ、およびこの方法の利点が、当業者には明白となろう。
【００７１】
図６に関連して以下に説明する第４の例示的な実施形態では、１つまたは複数のセルラー／移動サービス・プロバイダ、例えば、６０２、およびその他のネットワーク、例えば、６０４（無線、有線）によってサービスを提供される移動局６００と、データ・サーバ６０６またはインターネット６０８との間における高速通信が可能にされる。データ・サーバ６０６は、好ましくは、高速リンク６１２を介して、中間データ・サーバ６１０と通信する。同様に、中間データ・サーバ６１０は、好ましくは、高速リンク６１４を介して、インターネット６０８と通信する。中間データ・サーバ６１０は、パケット交換（例えば、インターネット）網または回線交換（電話網などの）網を介して、移動局６００のセルラー／移動／有線サービス・プロバイダ、例えば、６０２と通信する。
【００７２】
第４の実施形態は、前段で説明された第２の実施形態と同様であり、中間データ・サーバ６１０は、データ・サーバ６０６と、移動局６００の通信サービス・プロバイダ、例えば、６０２との間に配置されるという変更を伴う。中間データ・サーバ６１０は、データ・サーバ６０６への高速アクセスを可能にするだけでなく、高速で、高ＱｏＳのインターネット６０８アクセスのために使用されることも可能である。中間データ・サーバ６１０は、好ましくは、十分に確立されたシステムおよび方法を使用する高速リンク６１２、６１４を介して、データ・サーバ６０６およびインターネット６０８と通信する。
【００７３】
移動局６００は、この場合、中間データ・サーバ６１０と通信し、サーバ６１０は、次に、（ｉ）移動局６００とデータ・サーバ６０６の間、および（ｉｉ）移動局６００とインターネット６０８の間のデータ通信に要求される諸機能を実行する。それらの機能には、（ｉ）ユーザ認証、（ｉｉ）データ・サーバ６０６から情報を取得すること／受信すること、そのデータを分割すること、およびそのデータを移動局６００に通信すること、（ｉｉｉ）異なるチャネル群を介して移動局６００から情報を受信すること／取得すること、データを組み合わせること、およびそのデータを、データ・サーバ６０６に、またはインターネット６０８に通信することなどのタスクが含まれる。
【００７４】
以上の説明、および第２の実施形態の説明を所与として、第４の実施形態における方法の完全さ、およびこの方法の利点が、当業者には明白となろう。
【００７５】
以上に説明された諸実施形態は、１つのデータ・サーバと移動局の間におけるデータ通信を扱う。多くのケースで、移動局が、複数のデータ・サーバと通信することを所望することがあり、あるいはいくつかのデータ・サーバが、同時に、ある移動局と通信することを所望することがある。
【００７６】
移動局が、１つまたは複数のデータ・サーバと同時に通信することを所望する場合、移動局は、可能なすべての通信リソース（１つまたは複数のサービス・プロバイダ、その他の無線ネットワーク、有線ネットワーク、その他）を取得し、それらのリソースを、それらのデータ・サーバの各々に対して同時の／独立の通信リンクを確立するような形で、分割する。それらのリソースは、継続的に監視され、それらのリソースの必要性および利用可能性に依存して、それぞれの通信リンクに再割り当てされることが可能である。
【００７７】
図７および図８に関連して以下に説明される第５の例示的な実施形態では、それぞれの通信サービス・プロバイダ、例えば、７０４によってサービスを提供される２つの移動局７００、７０２間の高速通信が確立される。一般に、移動局７０１、７０２に対するサービス・プロバイダ、例えば、７０４は、同一ではないことがある。例えば、１つは、ＳｉｎｇＴｅｌからサービスを獲得してもよく、ＳｔａｒＨｕｂから自分のサービスを獲得する友人に、高いデータ転送速度のコール（例えば、ビデオ通話（ｖｉｄｅｏ  ｃａｌｌｉｎｇ））を行うことを所望するかもしれない。
【００７８】
２つの移動局７００、７０２は、使用される１つまたは複数の通信パス、データ転送速度、それらのチャネルにアクセスするための電子アドレス（ＴＣＰ／ＩＰアドレス、電話番号、その他のアドレス）、ならびにそれらのチャネル上で通信するための全体的なプロトコルに関して、まず、ハンドシェークを確立する。データ転送のための通信パスが、移動局に関するサービス・プロバイダの各々に対するそれぞれのＳＩＭを介して確立される。次いで、送信機（つまり、２つの移動局７００、７０２のいずれか）が、高速データ・ストリームを取得し、そのデータ・ストリームを、それらの通信パスの各々を介して伝送するのに適したデータ・ストリーム群に分割し、それらのデータ・ストリームをそれらの通信パス上で伝送する。受信機（つまり、２つの移動局７００、７０２のいずれか）が、それらの通信パスを介して着信するデータ・ストリーム群を取得し、それらのデータ・ストリームを組み合わせて、最終的な使用のための１つのデータ・ストリームにする。また、使用されるべき通信パスの組は、すべてのデータ転送に関して、移動局７００、７０２において特定され、格納されてもよい。また、その組は、動的な性質であってもよい。
【００７９】
ハンドシェークは、両方のモジュール局７００、７０２が通信する相手のサーバ７０６の助けを借りて、２つの移動局７００、７０２間で確立されてもよい。ハンドシェークが確立されると、２つの移動局７００、７０２は、データ・サーバを介して、または互いに直接に、データ転送を実行することができる。
【００８０】
代替的に、ハンドシェークは、図８に示されるとおり、一方が他方と直接連絡をとった際、移動局７００、７０２によって確立されてもよい。次いで、移動局７００、７０２は、直接に、またはデータ・サーバ７０６の助けを借りて、データ転送を実行することに進んでもよい。
【００８１】
すべての実例で、移動局７００、７０２は、異なる通信サービス・プロバイダによってサービスを提供されてもよい。
【００８２】
移動局とデータ・サーバの間の通信に関する実施形態、および２つの移動局間の通信に関する実施形態に基づき、本発明は、異なる諸実施形態において、移動局が、データ・サーバ、および別の移動局と同時に通信することを所望する場合にもまた、使用されることが可能であることが、当業者には明白となろう。
【００８３】
異なる例示的な諸実施形態の以上の説明では、移動局は、説明される通信技術を実施するためのコンポーネントおよび／または回路を一体化して備えていてもよいことに留意されたい。しかし、異なる諸実施形態では、本発明の諸実施形態による通信技術を実施するような形で、既存の移動局と対話するように適合された補助デバイスが提供されてもよいことが、当業者には理解されよう。補助デバイスと既存の移動局の間の対話は、例えば、Ｂｌｕｅｔｏｏｔｈなどのアドホックの（ａｄ  ｈｏｃ）無線技術を使用して確立されてもよい。補助デバイスは、例えば、クリップで取り付ける設計であっても、または既存の通信デバイスのためのバッテリ・パックと一体化されてもよい。
【００８４】
位置特定サービス
移動デバイスに関する位置特定は、サービスのデリバリ（ｄｅｌｉｖｅｒｙ）のために極めて重要になっている。これに関して、本発明の諸実施形態は、以下の形で位置特定サービスを提供するように使用されることが可能である。移動局が、３つのセルラー／移動サービス・プロバイダのデータ・サービスを使用するように加入する場合。各セルラー／移動サービス事業者は、その事業者の独自のネットワーク・インフラストラクチャを使用して独立の形で、位置情報を移動局に提供してもよい。その情報は、移動局についてのより正確な情報を獲得するような形で、組み合わされることが可能である。例えば、セルラー／移動ネットワークの各々が、ｃｅｌｌ＿ＩＤ（その特定の移動局が入っている、セルラー／移動サービス・プロバイダのセルの地理的位置）を提供する場合、次いで、複数のセルラー／移動サービス・プロバイダのｃｅｌｌ＿ＩＤの交差が、移動局の位置についてのより正確な情報をもたらす。
【００８５】
同様の形で、異なるセルラー／移動サービス・プロバイダ、およびその他の無線／有線サービス・プロバイダから獲得された位置情報が組み合わされて、移動局の位置についてのより正確な情報が獲得され、次いで、セキュリティで保護された／受信位置ベースのサービスのために、移動局、および位置ベースのサービス・プロバイダによって利用されることも可能である。
【００８６】
データ・コンバイナおよびデータ・スプリッタ
異なる諸実施形態において、１つまたは複数のチャネルを各々が含んでもよい、独立のパスを介して通信するため、データを分割するために、いくつかの戦略が採用されることが可能である。一般に、サイズＳのデータは、異なるサイズ、例えば、Ｓ１、Ｓ２、．．．、ＳＫを各部分が有してもよい、Ｋ個の部分に分割される。次いで、それらの部分は、総伝送時間を最小限に抑えるような形で使用されている複数のチャネル上で送信される。例えば、データ転送速度Ｄ１、Ｄ２、．．．、ＤＬを有するＬ個のチャネルが使用されている場合、次いで、データは、サイズＳ１が、Ｓ１＝Ｄ１＊Ｔ、Ｓ２＝Ｄ２＊Ｔ、．．．、ＳＬ＝ＤＬ＊Ｔ、ただし、Ｔ＝Ｓ／Ｄ、Ｄ＝Ｄ１＋Ｄ２＋．．．＋ＤＬによって与えられるように、Ｌ個の部分に分割されてもよい。これは、データ伝送に、最小の時間量がかかることを確実にする。さらに、データ転送速度が変化する場合（該当するように、何回も）、次いで、ファイル分割が、動的な形で行われてもよい。１つの戦略は、データ伝送が行われるにつれ、Ｋ個の部分を動的に作成することであることが可能である。Ｋは、Ｌよりもはるかに大きいことが可能である。チャネルが、そのチャネルに割り当てられた部分の伝送を完了すると、次いで、次の部分が、伝送のための残りのデータから作成され、割り当てられることが可能であり、以下同様である。また、送信機が、それぞれのチャネル上のデータ転送速度を監視し、それに応じて部分のサイズを調整することもできる。より高いデータ転送速度を有するチャネルは、より大きいサイズを得るといった具合である。
【００８７】
セキュリティおよび信頼性
データ通信のために同時に使用される、１つまたは複数のチャネルを各々が含んでもよい、複数の通信パスが、本発明の異なる諸実施形態において、通信のセキュリティ／信頼性を向上させることができる。例えば、データは、送信機によって様々なパス上で暗号化され、受信機において解読されてもよい。さらに、複数のパスの使用は、スペクトル拡散ベースの（直接シーケンス拡散技術、または他のそのような技術）セキュリティで保護された／信頼できる通信システムを構築する仕方をもたらす。また、信頼性は、符号化技術などの技術の使用によって向上させられることもある。暗号化／スペクトル拡散／符号化の結果、作成される追加のデータは、複数のパス上で送信されてもよい。また、送信機は、情報のセキュリティで保護された交換を可能にするために、パス・ホッピング（ｐａｔｈｓ ｈｏｐｐｉｎｇ）（擬似ランダムな形での異なるパスの使用）も行ってもよい。
【００８８】
そのような諸実施形態では、セキュリティ強化は、ユーザ・データ転送速度伝送の実際の増加なしに、提供されてもよいことに留意されたい。このため、本発明の諸実施形態は、目的として、高められたユーザ・データ伝送速度をもたらすことに限定されない。むしろ、本発明の諸実施形態は、独立した付加価値の特徴として、セキュリティ、信頼性、またはその両方をもたらしてもよい。しかし、本発明の異なる諸実施形態では、ユーザ・データ転送速度増加、セキュリティおよび／または信頼性向上が、特定の要件を選択的に満足させる能力とともに同時の利点としてもたらされてもよいことが、当業者には理解されよう。
【００８９】
データ圧縮を介して情報伝送の速度を増加させること
通信は、本発明の諸実施形態では、受信機と送信機（移動端末装置、および「中間サーバ」を含むデータ・サーバであることが可能な）の間で行われるので、送信機は、データ、およびデータの区画／部分に対して、全体的な有効データ転送速度をさらに高めるような形で、データ圧縮技術を使用することができる。そのケースでは、伝送されるべき情報は、圧縮され、次いで、複数のパスを介する伝送のために分割される。受信機において、様々な部分がまず、組み合わせられ、次いで、伸張アルゴリズムが使用されて、元の情報が構築される。別の実施形態では、伝送されるべき情報はまず、分割され、次いで、複数のパスを介する伝送のために圧縮される。受信機において、様々な部分がまず、伸張アルゴリズムを使用して伸張されて、元の情報が構築され、次いで、元の情報を構築するように組み合わせられる。データ圧縮アルゴリズムは、独自のアルゴリズムであって、移動体およびデータ・サーバだけに知られていてもよい。
【００９０】
通信パス上のデータ・ストリームをアプリケーションと結び付けること（ｉｎｔｅｒｆａｃｉｎｇ）
本発明の諸実施形態では、データ・サブストリームは、複数の通信パス上で伝送されてもよいので、ビデオ通話などのアプリケーションによる、それらのサブストリームの生成および／または処理が、次に考慮される。複数のサブストリームを生成し、かつ／または処理する要求される機能を含む、カスタマイズされたアプリケーションが、提供されてもよいことが当業者には理解されよう。代替的に、例えば、マルチメディア・プレーヤ・アプリケーションなどの既存のアプリケーションが、複数のデータ・ストリームを生成すること、および／または処理することができる場合、本発明の諸実施形態において利用されるサブストリームは、関係のあるアプリケーションの変更の必要なしに、そのようなアプリケーションに直接に結び付けられてもよい。
【００９１】
ローミング
本発明の諸実施形態は、ローミング条件の下におけるシームレスな動作に適している。本発明の諸実施形態は、関わりのあるサービス・プロバイダの既存のネットワーク・インフラストラクチャの変更の必要なしに、実施されることが可能である。したがって、ローミング能力を提供するために、サービス・プロバイダによって所定位置に置かれる、いずれの既存のローミング構成体／インフラストラクチャ設備（ｐｒｏｖｉｓｉｏｎｓ）も、関係のある通信パスのインフラストラクチャ特性に単に影響を与えるに過ぎない。しかし、より高いレベルでは、１つまたは複数の通信パスの選択的利用は、ローミング条件の下で、本発明の諸実施形態において変わらないままである。各通信パスは、ローミング、および１つまたは複数のさらなるサービス・プロバイダの結果としての関与を伴って、または伴うことなしに、サービス・プロバイダによって提供される１つまたは複数の通信チャネルを含む。
【００９２】
図９は、本発明の実施形態による、１つまたは複数の通信ネットワークを介して通信を行う方法を示す流れ図である。ステップ９００で、通信ネットワークの１つのネットワークの１つまたは複数の通信チャネルを各々が含む、Ｌ≧２個の通信パスが、第１のデバイスと第２のデバイスの間で選択的に確立される。ステップ９０２で、第１のデバイスからの通信データ・ストリームが、少なくともＬ個のサブストリームに分割される。ステップ９０４で、それらのサブストリームが、Ｌ個の通信パスを介して伝送される。ステップ９０６で、それらのサブストリームが、第２のデバイスにおける処理のために組み合わせられる。
【００９３】
本発明の諸実施形態は、１つまたは複数のセルラー／移動／無線ネットワーク・サービス・プロバイダのネットワーク・リソースをより効率的な形で同時に利用して、無線／移動体利用者により良いＱｏＳを提供するシステムおよび方法を提示する。本発明の諸実施形態は、以下の特徴の１つまたは複数を含んでもよい。
【００９４】
１つまたは複数のセルラー／移動サービス・プロバイダ（例えば、１つは、オレンジであり、他は、ボーダフォンである）からの、すべて１つのタイプ（例えば、すべてがＧＳＭチャネルまたはＧＰＲＳチャネルまたはＷＬＡＮチャネル）の独立したパスが、送信機および／または受信機において独立に／同時に組み合わせられて、移動局（ＭＳ）と１つまたは複数のデータ・サーバの間で高いデータ通信をもたらす。
【００９５】
１つまたは複数のセルラー／移動サービス・プロバイダからの、すべて１つのタイプの独立したパスが、送信機および／または受信機において独立に／同時に組み合わせられて、２つ以上の移動局（ＭＳ）間で高いデータ通信をもたらす。
【００９６】
１つまたは複数のセルラー／移動サービス・プロバイダからの、すべて１つのタイプの独立したパスが、送信機および／または受信機において独立に／同時に組み合わせられて、２つ以上の移動局（ＭＳ）と１つまたは複数の情報データ・サーバの間で高いデータ通信をもたらす。
【００９７】
１つまたは複数の通信サービス・プロバイダ（セルラー／移動サービス・プロバイダ、無線サービス・プロバイダ、有線サービス・プロバイダ）からの、異なるタイプ（ＧＳＭ、ＣＤＭＡ、３Ｇ、ＷＬＡＮ、Ｂｌｕｅｔｏｏｔｈ、ＵＷＢ、ケーブル、ＡＤＳＬ、ダイヤルアップ、その他）の独立したパスが、送信機および／または受信機において独立に組み合わせられる場合の、以上３つの項目。
−本発明の諸実施形態に適合された移動局およびデータ・サーバ。
−本発明の諸実施形態が使用される場合の、負荷平衡、価格設定、コール・ハンドオフ、ローミングなどのサービス品質（ＱｏＳ）を構成する他のパラメータの向上。
−無線／セルラー／移動システムにおける位置特定、ならびに移動局（ＭＳ）のための位置特定の使用を向上させる、１つまたは複数の通信サービス・プロバイダからの独立したパスの使用。
【００９８】
例示的な諸実施形態は、すべての利用可能な通信リソースを使用して、セルラー／移動／無線／有線通信のための高ＱｏＳ（高いデータ転送速度、ならびにＱｏＳの他の諸態様）を可能にしようと努める。また、説明される例示的な諸実施形態は、様々な通信サービス・プロバイダのネットワーク・インフラストラクチャが、独立した形で利用されるようになっている。このため、様々な通信サービス・プロバイダのネットワーク・インフラストラクチャの変更も、それらのネットワーク・インフラストラクチャが、同時に、独立に利用される際に、一切、要求されなくてもよい。
【００９９】
特定の諸実施形態に示されるとおり、広く説明される本発明の趣旨または範囲を逸脱することなく、本発明に多数の変形および／または変更が行われてもよいことが、当業者には理解されよう。本実施形態は、したがって、すべての点で、例示的であり、限定的ではないものと解釈されるべきである。
【０１００】
略語
ＬＡＮ  ローカル・エリア・ネットワーク
ＭＡＮ  メトロポリタン・エリア・ネットワーク
ＷＬＡＮ  無線ローカル・エリア・ネットワーク
Ｗｉ−Ｆｉ  ＷＬＡＮ技術の通称
ＣＤＭＡ  符号分割多重アクセス
ＷＣＤＭＡ  広帯域ＣＤＭＡ
ＣＤＭＡ２０００  別の広帯域バージョンのＣＤＭＡ
ＵＭＴＳ  ユニバーサル・モバイル・テレコミュニケーション・システム
ＰＤＡ  パーソナル・デジタル・アシスタント
ＩＳ−９５  第２世代ＣＤＭＡ技術、ＣＤＭＡＯｎｅとしても知られる
２Ｇ  第２世代セルラー／移動通信システム
２．５Ｇ  第２．５世代セルラー／移動通信システム
３Ｇ  第３世代
ＥＤＧＥ  ＧＳＭ進化のための拡張データ転送速度（Ｅｎｈａｎｃｅｄ  Ｄａｔａ  Ｒａｔｅｓ  ｆｏｒ  ＧＳＭ  Ｅｖｏｌｕｔｉｏｎ）
ＧＰＲＳ  汎用パケット無線サービス
ＵＷＢ  ウルトラワイドバンド
ＧＳＭ  グローバル・モバイル・システム
ＨＳＣＳＤ  高速回線交換データ
ＤＳＬ  デジタル加入者線
ＡＤＳＬ  非対称ＤＳＬ
ＳＩＭ  ＧＳＭのための加入者ＩＤモジュール
ＵＳＩＭ  ユニバーサル加入者ＩＤモジュール
【図面の簡単な説明】
【０１０１】
【図１】異なる移動／セルラー・サービス・プロバイダのセル・レイアウトを示す概略図である。
【図２】１つまたは複数の通信サービス・プロバイダからの通信の利用可能性を示す概略図である。
【図３】例示的な実施形態における移動局とデータ・サーバの間の通信を示す概略図である。
【図４】例示的な実施形態における移動局とデータ・サーバの間の通信を示す概略図である。
【図５】例示的な実施形態による基地局とデータ・サーバまたはインターネットの間の通信を示す概略図である。
【図６】例示的な実施形態による基地局とデータ・サーバまたはインターネットの間の通信を示す概略図である。
【図７】例示的な実施形態による２つの移動局間の通信を示す概略図である。
【図８】例示的な実施形態による２つの移動局間の通信を示す概略図である。
【図９】本発明の実施形態による、１つまたは複数の通信ネットワークを介して通信を行う方法を示す流れ図である。
【図１】
2007520155.tif 000003
【図２】
2007520155.tif 000004
【図３】
2007520155.tif 000005
【図４】
2007520155.tif 000006
【図５】
2007520155.tif 000007
【図６】
2007520155.tif 000008
【図７】
2007520155.tif 000009
【図８】
2007520155.tif 000010
【図９】
2007520155.tif 000011
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
１つまたは複数の移動通信ネットワークを介して通信を行うための方法であって、
第１の移動デバイスとさらなるデバイスの間で、前記移動通信ネットワークの１つのネットワークの１つまたは複数の既存の通信チャネルを各々が含む、Ｌ≧２個の通信パスを選択的に確立すること、
前記第１の移動デバイスと前記さらなるデバイスの間の通信データ・ストリームを、前記第１の移動デバイス、または前記さらなるデバイスにおいて、少なくともＬ個のサブストリームに分割すること、
前記サブストリームを、前記Ｌ個の通信パスを介して伝送すること、および
前記さらなるデバイス、または前記第１の移動デバイスにおいてそれぞれ処理するために、前記サブストリームを組み合わせることを含み、前記分割すること、および前記組み合わせることは、前記１つまたは複数の移動通信ネットワークの外部で行われる方法。
【請求項２】
前記通信パスの１つまたは複数は、ローミング構成において１つまたは複数の移動通信ネットワークによって提供される１つまたは複数の既存の通信チャネルを含む請求項１に記載の方法。
【請求項３】
前記通信パス上のリソース、前記通信パスの特性、またはその両方に基づき、前記通信パスを前記確立すること、前記通信データ・ストリームを前記分割すること、またはその両方のために前記データ・ストリームを処理することをさらに含む請求項１または２に記載の方法。
【請求項４】
前記処理することは、前記通信パス上の前記リソース、前記通信パスの前記特性、またはその両方に依存して、転送中に調整される請求項３に記載の方法。
【請求項５】
前記通信パスを前記確立すること、前記通信データ・ストリームを前記分割すること、またはその両方は、前記データ・ストリームに基づく、請求項１ないし４のいずれか一項に記載の方法。
【請求項６】
前記通信パスを前記確立すること、前記通信データ・ストリームを前記分割すること、またはその両方は、データ転送速度、セキュリティ、および信頼性から成るグループの１つまたは複数の点で、強化された通信を提供することに基づく、請求項５に記載の方法。
【請求項７】
前記通信パスは、異なるタイプの通信パスを含む請求項１ないし６のいずれか一項に記載の方法。
【請求項８】
少なくとも２つの通信パスが、同一の通信ネットワークによって提供される請求項１ないし７のいずれか一項に記載の方法。
【請求項９】
１つの通信ネットワークからの前記通信パスは、異なるタイプの通信パスを含む請求項８に記載の方法。
【請求項１０】
少なくとも２つのサブストリームが、同一の通信パスを介して伝送される請求項１ないし９のいずれか一項に記載の方法。
【請求項１１】
前記さらなるデバイスは、第２の移動デバイスまたはデータ・サーバを含む請求項１ないし１０のいずれか一項に記載の方法。
【請求項１２】
前記第１の移動デバイスは、移動電話機、ＰＤＡ、およびラップトップ・コンピュータから成るグループの１つまたは複数を含む請求項１ないし１１のいずれか一項に記載の方法。
【請求項１３】
前記データ・サーバは、さらなるデータ・サーバ、インターネット、または両方に、専用のそれぞれのデータ転送リンクを介して接続された中間データ・サーバを含む請求項１１または１２に記載の方法。
【請求項１４】
前記通信パスの２つ以上に基づき、前記第１の移動デバイス、前記さらなるデバイス、または両方についての位置情報を算出することをさらに含む請求項１ないし１３のいずれか一項に記載の方法。
【請求項１５】
前記２つ以上の通信パスは、異なる通信ネットワークからのものである請求項１４に記載の方法。
【請求項１６】
さらなるデータを前記通信データ・ストリームに追加することをさらに含む請求項１ないし１５のいずれか一項に記載の方法。
【請求項１７】
前記さらなるデータは、前記通信データ・ストリームの前記分割に先行して、前記分割の後に、または前記分割に先行しておよび前記分割の後に、追加される請求項１６に記載の方法。
【請求項１８】
前記さらなるデータは、前記通信データ・ストリームの前記分割中に追加される請求項１６または１７に記載の方法。
【請求項１９】
前記さらなるデータは、前記通信の信頼性を向上させるのに利用される請求項１６ないし１８のいずれか一項に記載の方法。
【請求項２０】
前記通信データ・ストリームの符号化を利用して、前記通信の前記信頼性を向上させることを含む請求項１９に記載の方法。
【請求項２１】
前記さらなるデータは、前記通信のセキュリティを向上させるのに利用される請求項１６ないし２０のいずれか一項に記載の方法。
【請求項２２】
暗号化通信、パス・ホッピング通信、およびスペクトル拡散通信から成るグループの１つまたは複数を利用して前記通信の前記セキュリティを向上させることを含む請求項２１に記載の方法。
【請求項２３】
２つ以上のサブストリームが、異なる暗号化符号を使用して暗号化される請求項２２に記載の方法。
【請求項２４】
前記データ・ストリーム、少なくとも１つのサブストリーム、または両方を圧縮することをさらに含む請求項１ないし２３のいずれか一項に記載の方法。
【請求項２５】
前記通信パスの１つまたは複数は、前記通信パスの終端間で、様々な数の通信チャネルを含む請求項１ないし２４のいずれか一項に記載の方法。
【請求項２６】
前記通信パスは、ＧＳＭ、ＥＤＧＥ、ＧＰＲＳ、３Ｇ、およびＣＤＭＡから成るグループの１つまたは複数を含む請求項１ないし２５のいずれか一項に記載の方法。
【請求項２７】
サーバを利用して前記通信パスの前記確立を円滑にすることをさらに含む請求項１ないし２６のいずれか一項に記載の方法。
【請求項２８】
音声通話のための強化された通信を提供するために適用される請求項１ないし２７のいずれか一項に記載の方法。
【請求項２９】
少なくとも１つの通信パスが、前記移動通信ネットワークの１つによって提供され、１つまたは複数の他の通信パスが、１つまたは複数の有線ネットワークまたは無線ネットワークによって提供される請求項１ないし２８のいずれか一項に記載の方法。
【請求項３０】
第１の移動デバイスとさらなるデバイスの間で、少なくとも移動通信ネットワーク・システムの１つまたは複数の既存の通信チャネルを各々が含む、Ｌ≧２個の通信パスを選択的に確立するための手段と、
前記第１の移動デバイスと前記さらなるデバイスの間の通信データ・ストリームを、前記第１の移動デバイス、または前記さらなるデバイスにおいて、少なくともＬ個のサブストリームに分割するための手段と、
前記サブストリームを、前記Ｌ個の通信パスを介して伝送するための手段と、
前記第１の移動デバイス、または前記さらなるデバイスにおいてそれぞれ処理するために、前記サブストリームを組み合わせるための手段と、
を含む移動通信ネットワーク・システムであって、
前記分割すること、および前記組み合わせることは、前記１つまたは複数の移動通信ネットワークの外部で行われるシステム。
【請求項３１】
前記通信パスの１つまたは複数は、ローミング構成において複数の移動通信ネットワークの１つのネットワークによって提供される１つまたは複数の既存の通信チャネルを含む請求項３０に記載のシステム。
【請求項３２】
前記通信パス上のリソース、前記通信パスの特性、またはその両方に基づき、前記通信パスを前記確立すること、前記通信データ・ストリームを前記分割すること、またはその両方のために前記データ・ストリームを処理するための手段をさらに含む請求項３０または３１に記載のシステム。
【請求項３３】
前記処理することは、前記通信パス上の前記リソース、前記通信パスの前記特性、またはその両方に依存して、転送中に調整される請求項３２に記載のシステム。
【請求項３４】
前記通信パスを前記確立すること、前記通信データ・ストリームを前記分割すること、またはその両方は、前記データ・ストリームに基づく請求項３０ないし３３のいずれか一項に記載のシステム。
【請求項３５】
前記通信パスを前記確立すること、前記通信データ・ストリームを前記分割すること、またはその両方は、データ転送速度、セキュリティ、および信頼性から成るグループの１つまたは複数の点で、強化された通信を提供することに基づく請求項３４に記載のシステム。
【請求項３６】
移動デバイスとさらなるデバイスの間で、少なくとも移動通信ネットワーク・システムの１つまたは複数の既存の通信チャネルを各々が含む、Ｌ≧２個の通信パスを選択的に確立する前記移動デバイスと、
前記第１の移動デバイスと前記さらなるデバイスの間の通信データ・ストリームを、前記第１の移動デバイス、または前記さらなるデバイスにおいて、少なくともＬ個のサブストリームに分割するためのスプリッタと、
前記サブストリームを、前記Ｌ個の通信パスを介して伝送するための送信機と、
前記第１のデバイス、または前記さらなるデバイスにおいてそれぞれ処理するために、前記サブストリームを組み合わせるためのコンバイナと、
を含む移動通信ネットワーク・システムであって、
前記分割すること、および前記組み合わせることは、１つまたは複数の移動通信ネットワークの外部で行われるシステム。
【手続補正２】
【補正対象書類名】明細書
【補正対象項目名】全文
【補正方法】変更
【補正の内容】
【発明の詳細な説明】
【技術分野】
【０００１】
本発明は、広くは、１つまたは複数の通信ネットワークを介して通信を行う方法、および通信デバイスに関する。
【背景技術】
【０００２】
セルラー／移動ネットワーク（ＧＳＭ、ＣＤＭＡ、ＧＰＲＳ、ＥＤＧＥ、３Ｇ、その他が、そのようなネットワーク・インフラストラクチャの実例である）の枠組み内で、通信のための現在の既存の方法は、１つのセルラー／移動サービス・プロバイダのネットワーク・インフラストラクチャの１つまたは複数の基地局（ＢＳ）からの１つまたは複数のチャネルを使用して実施される。各チャネルが、データ伝送に寄与することが可能であり、このため、複数のチャネルが使用される場合、全体的なデータ転送速度が、増加されることが可能である。
【０００３】
しかし、複数のチャネルが使用されるべき場合、既存の技術は、１つまたは複数のＢＳ間の伝送、およびその他の諸機能、ならびにサービス・プロバイダによって実行される他のいくつかの機能の調整を要するので、ネットワーク・インフラストラクチャに、いくつかの変更が行われる必要がある。また、多くの場所でマルチチャネル通信は、実施されていないことがあり、このため、利用可能ではない。さらに、マルチチャネル通信が実施されている場所でさえ、マルチチャネル通信は、一様な遠隔通信の標準（ＧＳＭ、ＣＤＭＡ、その他など）の下で実施されていない可能性があり、このため、１つの場所から別の場所へのローミング（ｒｏａｍｉｎｇ）環境において利用可能でないことがある。移動体が、セルラー／移動サービス・プロバイダのセルＫ内に存在する場合、セルＫ以外のセル群に属するＢＳ群からのデータ伝送のサービス品質（ＱｏＳ）は、容認可能なレベルではないことがあり、他の諸技術が、そのＱｏＳを向上させるために組み込まれなければならないことがある。
【０００４】
セル内で利用可能なチャネルの総数は、所定であることがあるので、セルラー／移動サービス・プロバイダのネットワーク・インフラストラクチャは、そのようなサービスを要求するユーザの数が増大するにつれ、要求を支えることができないことがある。
【０００５】
また、そのサービスを単一のセルラー／移動サービス・プロバイダから得る費用も、高いことがある。さらに、そのようなサービスは、ローミング・ユーザには利用できないことがある。
【０００６】
米国特許第５７７１２２９号が、移動局（ＭＳ）と、基地局コントローラに接続された高速データ・サーバとの間の通信に関するデータ転送速度を増加させるために、同一のセルラー／移動サービス・プロバイダからのチャネル群を組み合わせるための方法を開示する。その方法は、通信が行われるために、同一のセルラー／移動サービス・プロバイダのいくつかのチャネルが、同一のセル内で利用可能でなければならないことを要求する。また、データ転送を遅くする可能性があるいくつかのハンドオフは、それが、近隣のセル群の中でも、それだけの数のチャネルの利用可能性を要するので、同時に行われる必要がある。チャネルは、独立に制御されるものの、全体的なネットワーク・インフラストラクチャは、依然、逆マルチプレクサおよびインテリジェント周辺装置などの変更を要する。
【０００７】
ＷＯ特許公開第２００４０１６０１９号が、同一のセルラー／移動サービス・プロバイダからか、または２つの異なるセルラー／移動サービス・プロバイダからのチャネル群を組み合わせるための方法を説明する。この方法は、同一タイプ（説明では、すべてＧＳＭ）であるすべてのチャネルに適用可能であり、さらに、この方法は、ネットワーク・インフラストラクチャ、ならびに２つ以上のセルラー／移動サービス・プロバイダの間におけるローミング合意に対する変更を要する。米国特許第５７７１２２９号における方法とＷＯ２００４１０６０１９号における方法はともに、移動局（ＭＳ）と、セルラー／移動サービス・プロバイダのネットワーク・インフラストラクチャと通信するデータ・サーバとの間における通信のデータ転送速度を増加することに関わる。
【発明の開示】
【課題を解決するための手段】
【０００８】
本発明の第１の態様によれば、１つまたは複数の移動通信ネットワークを介して通信を行うための方法が提供され、方法は、第１の移動デバイスとさらなるデバイスの間で、移動通信ネットワークの１つのネットワークの１つまたは複数の既存の通信チャネルを各々が含む、Ｌ≧２個の通信パスを選択的に確立すること、第１の移動デバイスとさらなるデバイスの間の通信データ・ストリームを、第１の移動デバイス、またはさらなるデバイスにおいて、少なくともＬ個のサブストリームに分割すること、それらのサブストリームを、Ｌ個の通信パスを介して伝送すること、およびさらなるデバイス、または第１の移動デバイスにおいてそれぞれ処理するために、それらのサブストリームを組み合わせることを含み、分割すること、および組み合わせることは、１つまたは複数の移動通信ネットワークの外部で行われる。
【０００９】
通信パスの１つまたは複数は、ローミング構成において１つまたは複数の移動通信ネットワークによって提供される１つまたは複数の既存の通信チャネルを含んでもよい。
【００１０】
方法は、通信パス上のリソース、通信パスの特性、またはその両方に基づき、通信パスを確立すること、通信データ・ストリームを分割すること、またはその両方のためにデータ・ストリームを処理することをさらに含んでもよい。
【００１１】
処理は、通信パス上のリソース、通信パスの特性、またはその両方に依存して、転送中に調整されてもよい。
【００１２】
通信パスを確立すること、通信データ・ストリームを分割すること、またはその両方は、データ・ストリームに基づいてもよい。
【００１３】
通信パスを確立すること、通信データ・ストリームを分割すること、またはその両方は、データ転送速度、セキュリティ、および信頼性から成るグループの１つまたは複数の点で、強化された通信を提供することに基づいてもよい。
【００１４】
通信パスは、異なるタイプの通信パスを含んでもよい。
【００１５】
少なくとも２つの通信パスが、同一の通信ネットワークによって提供されてもよい。
【００１６】
１つの通信ネットワークからの通信パス群は、異なるタイプの通信パスを含んでもよい。
【００１７】
少なくとも２つのサブストリームが、同一の通信パス群を介して伝送されてもよい。
【００１８】
さらなるデバイスが、第２の移動デバイスまたはデータ・サーバを含んでもよい。
【００１９】
第１の移動デバイスは、移動電話機、ＰＤＡ、およびラップトップ・コンピュータから成るグループの１つまたは複数を含んでもよい。
【００２０】
データ・サーバは、専用のそれぞれのデータ転送リンクを介して、さらなるデータ・サーバ、インターネット、またはデータ・サーバとインターネットの両方に接続された中間データ・サーバを含んでもよい。
【００２１】
方法は、通信パスの２つ以上に基づき、第１の移動デバイス、さらなるデバイス、または両方についての位置情報を特定することをさらに含んでもよい。
【００２２】
前記２つ以上の通信パスは、異なる通信ネットワークからのものであってもよい。
【００２３】
方法は、さらなるデータを通信データ・ストリームに追加することをさらに含んでもよい。
【００２４】
さらなるデータは、通信データ・ストリームの分割に先立って、分割の後に、または分割に先立ってと分割の後になっての両方で、追加されてもよい。
【００２５】
さらなるデータは、通信データ・ストリームの分割中に追加されてもよい。
【００２６】
さらなるデータは、通信の信頼性を向上させるのに利用されてもよい。
【００２７】
方法は、通信データ・ストリームの符号化を利用して、通信の信頼性を向上させることを含んでもよい。
【００２８】
さらなるデータは、通信のセキュリティを向上させるのに利用されてもよい。
【００２９】
方法は、暗号化通信、パス・ホッピング（ｈｏｐｐｉｎｇ）通信、およびスペクトル拡散通信から成るグループの１つまたは複数を利用して、通信のセキュリティを向上させることを含んでもよい。
【００３０】
２つ以上のサブストリームが、異なる暗号化コードを使用して暗号化されてもよい。
【００３１】
方法は、データ・ストリーム、少なくとも１つのサブストリーム、またはその両方を圧縮することをさらに含んでもよい。
【００３２】
通信パスの１つまたは複数は、その通信パスの端点の間で、様々な数の通信チャネルを含んでもよい。
【００３３】
通信パスは、ＧＳＭ、ＥＤＧＥ、ＧＰＲＳ、３Ｇ、およびＣＤＭＡから成るグループの１つまたは複数を含んでもよい。
【００３４】
方法は、サーバを利用して通信パスの確立を円滑にすることをさらに含んでもよい。
【００３５】
方法は、音声通話（ｖｏｉｃｅ  ｃａｌｌｉｎｇ）のための強化された通信を提供するために適用されてもよい。
【００３６】
少なくとも１つの通信パスが、移動通信ネットワークの１つによって提供されてもよく、１つまたは複数の他の通信パスが、１つまたは複数の有線ネットワークまたは無線ネットワークによって提供される。
【００３７】
本発明の第２の態様によれば、移動通信ネットワーク・システムが提供され、システムは、第１の移動デバイスとさらなるデバイスの間で、少なくとも前記移動通信ネットワーク・システムの１つまたは複数の既存の通信チャネルを各々が含む、Ｌ≧２個の通信パスを選択的に確立するための手段と、第１の移動デバイスとさらなるデバイスの間の通信データ・ストリームを、第１の移動デバイス、またはさらなるデバイスにおいて、少なくともＬ個のサブストリームに分割するための手段と、それらのサブストリームを、Ｌ個の通信パスを介して伝送するための手段と、第１の移動デバイス、またはさらなるデバイスにおいてそれぞれ処理するために、それらのサブストリームを組み合わせるための手段とを含み、分割すること、および組み合わせることは、１つまたは複数の移動通信ネットワークの外部で行われる。
【００３８】
通信パスの１つまたは複数は、ローミング構成において複数の移動通信ネットワークの１つのネットワークによって提供される１つまたは複数の既存の通信チャネルを含んでもよい。
【００３９】
システムは、通信パス上のリソース、通信パスの特性、またはその両方に基づき、通信パスを確立すること、通信データ・ストリームを分割すること、またはその両方のためにデータ・ストリームを処理するための手段をさらに含んでもよい。
【００４０】
処理は、通信パス上のリソース、通信パスの特性、またはその両方に依存して、転送中に調整されてもよい。
【００４１】
通信パスを確立すること、通信データ・ストリームを分割すること、またはその両方は、データ・ストリームに基づいてもよい。
【００４２】
通信パスを確立すること、通信データ・ストリームを分割すること、またはその両方は、データ転送速度、セキュリティ、および信頼性から成るグループの１つまたは複数の点で、強化された通信を提供することに基づいてもよい。
【００４３】
本発明の第３の態様によれば、移動通信ネットワーク・システムが提供され、システムは、移動デバイスとさらなるデバイスの間で、少なくとも前記移動通信ネットワーク・システムの１つまたは複数の既存の通信チャネルを各々が含む、Ｌ≧２個の通信パスを選択的に確立する移動デバイスと、第１の移動デバイスとさらなるデバイスの間の通信データ・ストリームを、第１の移動デバイス、またはさらなるデバイスにおいて、少なくともＬ個のサブストリームに分割するためのスプリッタと、それらのサブストリームを、Ｌ個の通信パスを介して伝送するための送信機と、第１のデバイス、またはさらなるデバイスにおいてそれぞれ処理するために、それらのサブストリームを組み合わせるためのコンバイナとを含み、分割すること、および組み合わせることは、１つまたは複数の移動通信ネットワークの外部で行われる。
【００４４】
本発明の諸実施形態は、単に例として、図面に関連して、以下に記載される説明から、より良く理解され、当業者には直ちに明白となろう。
【発明を実施するための最良の形態】
【００４５】
図１は、複数のセルラー／移動サービス・プロバイダ１０２、１０４が、地理的区域内に存在するシナリオを示す。移動体１０６が、どこに位置しているかに関わらず、移動体１０６は、複数のセルラー／移動サービス・プロバイダのセル内、すなわちセル１０８内およびセル１１０内に入っている。これは、セル・レイアウト、およびネットワーク設計の他の諸態様は、一般に、セルラー／移動サービス・プロバイダごとに異なる、あるいは公知ではないことがあるものの、各サービス・プロバイダは、加入者の移動体に、その移動体が、カバレッジの地理的区域内に入っている場合はいつでも、サービスを提供するという事実による。
【００４６】
加えて、図２に示されるとおり、例えば、符号１１２において示される、無線ローカル・エリア・ネットワーク（ＷＬＡＮ）および有線ネットワーク（一般に、ローカル・エリア・ネットワークまたはＬＡＮ、ケーブル、電話ダイヤルアップ、ＡＤＳＬ、ＤＳＬなどと称される）を介して、インターネット、および関連するサービス群へのアクセスを可能にする地域群（急速にカバレッジおよび数が成長している）が存在する。このため、データ通信サービスにアクセスするためにユーザが有するかもしれない複数のオプションが存在する。それらのオプションは、ユーザが、アクセスすることを所望するかもしれない通信の性質にさらに依存してもよい。例えば、音声コールは、セルラー／移動サービス・プロバイダのネットワーク上でだけ、移動電話機１０６を使用して開始されるかもしれない。しかし、インターネット・アクセス（電子メール、企業サーバ、コンピュータ、その他へのアクセスを含む）は、他のいくつかのネットワーク上で可能であるかもしれない。
【００４７】
通信サービスの高まる必要性、およびより高速のデータ転送速度を有する必要性とともに、いずれのサービスに関しても、ますます高いデータ転送速度を提供するシステムが発明されてきた。実例には、セルラー／移動システムのための２Ｇ（ＩＳ−９５、ＧＳＭ）ないし２．５Ｇ（ＧＰＲＳ、ＨＳＣＳＤ、ＥＤＧＥ、その他）ないし３Ｇ（ＷＣＤＭＡ、ＣＤＭＡ２０００、ＵＭＴＳ）、有線システムのためのダイヤルアップ、ＤＳＬ、ＡＤＳＬ、ケーブル、ＬＡＮ、ＭＡＮ、その他を介するインターネット・アクセス、および無線システムのためのＷＬＡＮ、Ｂｌｕｅｔｏｏｔｈ、ＵＷＢが含まれる。これらのシステムの各々が、それ自体で完全（ｓｅｌｆ−ｓｕｆｆｉｃｉｅｎｔ）であり、システムが、意図して設計されているサービスを単独で提供するのに使用されることが可能であるという点で、他のシステムとは独立である。各ユーザには、通信システム上のあるリソースが与えられ、そのリソースが、ユーザによって、通信サービスにアクセスするのに使用される。「チャネル」と呼ばれるこのリソースは、ユーザ自身によってか、あるいはユーザが通信する必要性を通信システムが認識した場合に、システムによって要求されると、ユーザに割り当てられる。チャネルの割り当て、および、次いで、チャネルの使用は、通信サービス・プロバイダによって制御され、ユーザ認証、およびその他のステップを要求することがある。
【００４８】
所与の通信サービス・プロバイダ上でユーザに割り当てられる各チャネルには、そのチャネルの能力および限界が付随する。例えば、音声コールを行うためにユーザに割り当てられるＧＳＭチャネルは、通常、９６００ｂｐｓの速度でデータを伝送する。このため、ユーザが、ＧＳＭチャネル上で、９６００ｂｐｓより高い速度でデータを送信することを所望する場合、それは、可能でないことがある。また、これは、ユーザが、より高いデータ転送速度、およびその他の向上したＱｏＳ測度を求めると、ユーザに根本的な課題も生じさせる。また、異なる通信サービス・プロバイダは、プロバイダが、互いに競合していることがあるので、向上したＱｏＳをユーザに提供するように、必ずしも互いに協力しないこともある。
【００４９】
本発明の例示的な諸実施形態は、サービス・プロバイダのインフラストラクチャの変更が、全く要求されない形で、様々な利用可能な通信リソースを組み合わせながら、データ転送速度およびＱｏＳの向上を実現するための方法を提供する。
【００５０】
例示的な諸実施形態は、少なくとも３つのタイプの通信、（ｉ）移動局と、その移動局の無線／セルラー／移動サービス・プロバイダ（群）と通信するデータ・サーバとの間における高いデータ転送速度の（高速）通信、（ｉｉ）移動局と別の移動局の間における、それら２つの移動局の無線／セルラー／移動サービス・プロバイダが、同一であっても、または同一でなくてもよい、高いデータ転送速度の通信（ピアツーピア通信）、および（ｉｉｉ）移動局とインターネットの間における、その移動局の無線／セルラー／移動サービス・プロバイダと通信する中間データ・サーバを介する高いデータ転送速度の（高速）通信を可能にする。例示的な諸実施形態では、ハンドシェークが、それら２つの通信するエンティティ間（移動局とデータ・サーバの間、２つの移動局間）で確立される。使用されるべき独立の通信チャネル群、実際のデータ転送プロトコルの詳細、およびアドレス指定、その他が、確立される。次いで、高速データ通信が始まる。例示的な諸実施形態は、有線／セルラー／移動／無線であることが可能な通信サービス・プロバイダのインフラストラクチャを同時に、独立に使用する２つの通信するエンティティ間（移動局とデータ・サーバの間、移動局と移動局の間）において、高いデータ転送速度、かつ高ＱｏＳの通信を可能にするようにさらに拡張される。
【００５１】
第１の例示的な実施形態は、１つまたは複数のセルラー／移動サービス・プロバイダによってサービスを提供される移動局と、その移動局のセルラー／移動サービス・プロバイダと通信するデータ・サーバとの間の高速通信を、パケット交換（例えば、インターネット）網または回線交換（電話網などの）網を介して提供する。
【００５２】
図３を参照されたい。第１の実施形態では、移動局３００（電話機、ＰＤＡ、ラップトップ・コンピュータ、その他）を有するユーザが、１つまたは複数のサービス・プロバイダを利用するデータ伝送を使用する。これは、例えば、テレビ会議、電子メール、Ｗｅｂサイト／コンピュータ・サーバ・アクセス、その他の結果として生成されることが可能なデータにアクセスするためである。第１の実施形態では、移動局３００は、それぞれのサービス・プロバイダ、例えば、３０３、３０５、３０７によって提供される異なる通信パス、例えば、３０２、３０４、３０６を選択的に利用する。通信パス３０２、３０４、３０６の各々は、移動局３００と通信するために、それぞれのサービス・プロバイダ３０３、３０５、３０７の１つまたは複数の通信チャネルを使用する。１つまたは複数のサービス・プロバイダからの通信チャネル群およびネットワーク・インフラストラクチャの同時使用は、独立した形で行われる。このため、それぞれのサービス・プロバイダのインフラストラクチャ群のインフラストラクチャに、全く変更は行われなくてもよい。
【００５３】
Ｎ個のサービス・プロバイダＭ１、Ｍ２、．．．、ＭＮが存在するものと想定されたい。これらのサービス・プロバイダの各プロバイダは、データ通信のために、それぞれのサービス・プロバイダのネットワーク上で、１つまたは複数のチャネルを通信パスとして移動局３００に提供しているセルラー／移動サービス・プロバイダであってもよい。移動局３００は、加入またはＳＩＭ（３Ｇの場合、ＵＳＩＭ）カード、あるいはサービスのＩＤ（ｉｄｅｎｔｉｔｙ）を確立するための、他の何らかの同等の方法またはモデムを介して、それぞれのサービス・プロバイダに加入すると想定されたい。
【００５４】
第１の実施形態では、移動局３００は、１つまたは複数のサービス・プロバイダ、例えば、ＢａｓＳＰ  Ｍ１  ３０３、ＢａｓＳＰ  Ｍ２  ３０５、．．．、ＢａｓＳＰ  ＭＬ  ３０７に加入し、移動局３００は、Ｌ  ＳＩＭカードを有する。ＳＩＭカードの１つまたは複数、あるいはすべてが、同時に、独立に使用されて、高いデータ転送速度の通信を実現するように組み合わされる、それぞれのサービス・プロバイダからの１つまたは複数の通信パスを受信する。すべてのサービス・プロバイダが、異なる必要はないことに留意されたい。例えば、ＢａｓＳＰ  Ｍ１  ３０３は、ＢａｓＳＰ  Ｍ２  ３０５と同一であってもよい。その一実施形態では、高いデータ転送速度の通信は、移動局３００において、データを受信／送信することができるＬ個の独立のユニットを取得し、次いで、データ・コンバイナ／スプリッタ（これは、ハードウェアとしてか、またはソフトウェアとして実現される）を有することによって実現される。また、同等のデータ・コンバイナ／スプリッタが、データ・サーバ３１０においても使用される。
【００５５】
単一のＳＩＭ（３Ｇの場合、ＵＳＩＭ）カード、または他の同等のモデムが、マルチチャネル通信パスを確立するように構成されてもよいことに留意されたい。代替的に、かつ／または追加的に、複数の単一チャネルＳＩＭ（３Ｇの場合、ＵＳＩＭ）カード、または他の同等のモデムが、利用されてもよく、１つまたは複数の単一チャネルＳＩＭ（３Ｇの場合、ＵＳＩＭ）カード、または他の同等のモデムが、特定のサービス・プロバイダのマルチチャネル通信パスを形成するのに使用される。
【００５６】
データの分割は、例示的な諸実施形態では、以下の形で行われてもよい。
（ａ）元のデータを取得し、各パス向けの複数のサブストリームに分割し、次いで、サブストリームの各々に関して、各パスに関して独立の形で、パケット交換網を介して伝送するためのＩＰパケットを作成する、
（ｂ）データを取得し、パケット交換網を介して伝送するためのＩＰパケットを作成し、次いで、各パスに関するＩＰパケットのサブストリームを作成する、
（ｃ）データを取得し、パケット交換網を介して伝送するためのＩＰパケットを作成し、次いで、各ＩＰパケットを、それぞれのパス向けの複数のサブパケットに分割し、各サブパケットを、各パスに関して、パケット交換網を介してサブストリームとして伝送するためのＩＰパケットに再カプセル化する。
【００５７】
データの分割は、少なくとも１つのパラメータに基づくことが可能である。パラメータは、１つまたは複数のユーザ選好、それぞれのデータ・パスの１つまたは複数の監視される特性、またはその両方を含んでもよい。データの分割は、パラメータに依存して、転送中に調整されてもよい。パラメータには、費用、データ転送速度にかかる時間、遅延、パス品質、その他が含まれてもよい。
【００５８】
Ｌ  ＳＩＭカードの１つまたは複数、あるいはすべてが、データを通信するのに使用され（ＧＳＭ、ＧＰＲＳ、３Ｇ、ＣＤＭＡ、以上の組み合わせ、または他のデータ伝送技術を使用して）、このため、総計で、全体的なデータ転送速度は、１つだけのＳＩＭカード、および１つのサービス・プロバイダを使用して実現可能なデータ転送速度をはるかに超えている。データを送信／受信することができるＬ個の独立のユニットは、個々の通信パスが、Ｌ個のサービス・プロバイダの各々に関して同一である場合、同一であることが可能である。例えば、ＧＰＲＳモデムは、あるセルラー／移動サービス・プロバイダからの１つまたは複数のチャネル上で、データを送信／受信することができる。また、ユニット群は、個々の通信パスの各々によって提供されるデータ伝送、およびその他のＱｏＳが、異なる場合、異なってもよい。移動局３００およびデータ・サーバ３１０は、いずれのサービス・プロバイダを使用するか選択する際、および通信パスの１つまたは複数向けにデータを分割するタスクを実施する際、通信パスの各々の特性を考慮に入れる。この特性には、各通信パスのデータ転送速度能力、データ要件、価格設定、チャネル条件、およびその他のＱｏＳパラメータが含まれる。
【００５９】
データ・サーバ３１０は、パケット交換（例えば、インターネット）網または回線交換（電話網などの）網を介して、移動局３００のセルラー／移動サービス・プロバイダと通信する。
【００６０】
移動局３００またはデータ・サーバ３１０は、サービス・プロバイダの１つを介して互いに初期連絡を確立し（例えば、移動局識別のためにＳＩＭカードが使用される）、これにより、データ転送のために使用される１つまたは複数の通信パスの組が、確立され、次いで、そのそれぞれのサービス・プロバイダ向けのＳＩＭカードを介して、その組の中のサービス・プロバイダ群に連絡が行われて、通信パスの各パス上でデータ転送を確立する。次いで、送信機（つまり、移動局３００、またはデータ・サーバ３１０）が、高速データ・ストリームを取得し、それらのデータ・ストリームを、通信パスの各パスを介して伝送するのに適した別々のデータ・サブストリームに分割する。受信機（つまり、移動局３００、またはデータ・サーバ３１０）が、それらの通信パスを介して着信するデータ・ストリームを取得し、それらの通信パスを組み合わせて、最終的な使用のための１つのデータ・ストリームにする。また、使用されるべき通信パスの組は、すべてのデータ転送に関して、移動局３００およびデータ・サーバ３１０において特定され、格納されてもよい。また、その組は、動的な性質であってもよい。
【００６１】
単一の通信パス「内」で、利用されるチャネルの数は、通信パスの端点間で、例えば、例示的な実施形態では、移動局とデータ・サーバの間で、異なってもよいことに留意されたい。そのような実施形態では、サービス・プロバイダは、一方で、移動局と、基地局またはスイッチ・アーキテクチャなどの、ネットワーク・インフラストラクチャの中間要素との間で複数の通信チャネルを提供していてもよく、他方で、その中間要素とデータ・サーバの間で、専用高速通信リンクであってもよい単一の通信チャネルを提供していてもよい。
【００６２】
以下では、第１の例示的な実施形態の異なる応用シナリオが説明される。
Ａ．データ・サーバと移動局の間のデータ通信  １つまたは複数のセルラー／移動サービス・プロバイダからの１つのチャネル。移動局３００が、パス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、３つのセルラー／移動サービス・プロバイダ（例えば、シンガポール国におけるＳｉｎｇｔｅｌ、Ｍ１、およびＳｔａｒＨｕｂ）が存在する場合、次いで、移動局３００は、ＧＰＲＳサービスのために、それら３つの各々に加入し、３つのＳＩＭカード（各々から１つの）を使用してもよい。このため、３つまでの独立した、同時のＧＰＲＳ接続が、データ・サーバ３１０と通信するように確立されることが可能である。これは、それら３つのセルラー／移動サービス・プロバイダの現在、既存のネットワーク・インフラストラクチャに対する変更を全く要さない。
Ｂ．データ・サーバと移動局の間のデータ通信  １つまたは複数のセルラー／移動サービス・プロバイダからの１つまたは複数のチャネル。移動局３００が、セルラー／移動サービス・プロバイダの各々からのパス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、３つのセルラー／移動サービス・プロバイダ（例えば、シンガポール国におけるＳｉｎｇｔｅｌ、Ｍ１、およびＳｔａｒＨｕｂ）が存在する場合、次いで、移動局３００は、ＧＰＲＳサービスのために、それら３つの各々に加入し、５つのＳＩＭカード（ＳｉｎｇＴｅｌから２つ、Ｍ１から２つ、ＳｔａｒＨｕｂから１つの）を使用してもよい。このため、５つまでの独立した、同時のＧＰＲＳ接続が、データ・サーバ３１０と通信するように確立されることが可能である。これは、それら３つのセルラー／移動サービス・プロバイダの現在、既存のネットワーク・インフラストラクチャに対する変更を全く要さない。
Ｃ．データ・サーバと移動局の間のデータ通信  １つまたは複数のセルラー／移動サービス・プロバイダからの、場合により異なるタイプの１つまたは複数のチャネル。移動局３００が、セルラー／移動サービス・プロバイダの各々からのパス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、３つのセルラー／移動サービス・プロバイダ（例えば、シンガポール国におけるＳｉｎｇｔｅｌ、Ｍ１、およびＳｔａｒＨｕｂ）が存在する場合、次いで、移動局３００は、セルラー／移動サービスのために、それら３つの各々に加入し、５つのＳＩＭカード（ＧＳＭ用に１つと、ＧＰＲＳ用に１つのＳｉｎｇＴｅｌから２つ、ともにＧＰＲＳのＭ１から２つ、３Ｇ用にＳｔａｒＨｕｂから１つの）を使用してもよい。異なるデータ転送速度、および異なるＱｏＳを有する５つまでの独立した、同時のＧＰＲＳ接続が、データ・サーバ３１０と通信するように確立されることが可能である。これは、それら３つのセルラー／移動サービス・プロバイダの現在、既存のネットワーク・インフラストラクチャに対する変更を全く要さない。
Ｄ．データ・サーバと移動局の間のデータ通信  １つのセルラー／移動サービス・プロバイダからの、場合により異なるタイプの１つまたは複数のチャネル。移動局３００が、セルラー／移動サービス・プロバイダからのパス（ＧＳＭ、ＧＰＲＳ、３Ｇ、ＣＤＭＡなどであることが可能な）の各々に関して１つのＳＩＭカード（または３Ｇの場合、ＵＳＩＭ）を保持する。例えば、シンガポール国におけるＳｉｎｇＴｅｌに関して、移動局は、ＳｉｎｇＴｅｌに加入し、５つのＳＩＭカード（ＧＳＭ用に１つ、ＧＰＲＳ用に２つ、ならびに３Ｇ用に２つの）を使用してもよい。このため、異なるデータ転送速度、および異なるＱｏＳを有する５つまでの独立した、同時の接続が、データ・サーバ３１０と通信を確立するように確立されることが可能である。これは、ＳｉｎｇＴｅｌの現在、既存のネットワーク・インフラストラクチャに対する変更を全く要さない。さらに、移動局３００は、すべてＧＰＲＳ用の、Ｓｉｎｇｔｅｌに対する５つのＳＩＭカードに加入してもよい。このため、５つまでの独立した、同時の接続が、データ・サーバ３１０と通信するように確立されることが可能である。
【００６３】
第２の例示的な実施形態が、図４に関連して説明される。１つまたは複数のセルラー／移動サービス・プロバイダ、およびその他のネットワーク（有線、無線）によってサービスを提供される移動局と、移動局のそれらのサービス・プロバイダに接続されたデータ・サーバとの間の高速通信が、第２の例示的な実施形態において可能にされる。
【００６４】
１つまたは複数のセルラー／移動サービス・プロバイダ、例えば、４０１の複数のセル内に存在することに加えて、移動局４００はまた、移動局４００の実際の位置に依存して、１つまたは複数の有線／無線ネットワーク、例えば、４０２／４０４（ＷＬＡＮ、ＬＡＮ、ケーブル、ＤＳＬ、ＡＤＳＬ、その他などの）からデータを送信／受信することもできる。
【００６５】
この例示的な実施形態では、移動局４００は、データ転送速度、およびその他のＱｏＳパラメータをさらに向上させるために、それらの有線／無線ネットワーク上の、例えば、４０２／４０４上の１つまたは複数のチャネルの利用可能性の利点を活用する。１つまたは複数のサービス・プロバイダ、例えば、４０１、無線ネットワーク、例えば、４０４、および有線ネットワーク、例えば、４０２からのすべての通信パスが、独立に／同時に組み合わされて、移動局４００とデータ・サーバ４１０の間における高いデータ転送速度の通信が可能になる。
【００６６】
以下では、第２の実施形態に関する異なる応用シナリオが説明される。
Ａ．データ・サーバと移動局の間のデータ通信  有線ネットワークからの１つまたは複数のチャネル、および無線ネットワークからの１つまたは複数のチャネル。例えば、移動局４００が、この場合、１つまたは複数のＷＬＡＮチャネル、ならびにＤＳＬ接続を使用して、データ・サーバ４１０と通信することができる。
Ｂ．データ・サーバと移動局の間のデータ通信  有線ネットワーク、無線ネットワーク、およびセルラー／移動ネットワークからの１つまたは複数のチャネル。例えば、移動局４００が、３Ｇを使用して、データ・サーバ４１０と通信してもよい。移動局４００が、ＷＬＡＮ４０４の利用可能性を検出すると直ちに、移動局４００は、この場合、データ・サーバ４１０と通信するのにＷＬＡＮと３Ｇの両方が使用されるモードに切り替えてもよい。また、有線ネットワーク、例えば、４０２が利用可能な場合、追加されてもよい。これには、（ｉ）有線チャネル（ケーブル、ダイヤルアップ、およびＡＤＳＬ）だけが使用される場合の実施形態、または（ｉｉ）無線チャネル（ＷＬＡＮ、ＵＷＢの１つまたは複数のチャネル）だけが使用される場合の実施形態、または（ｉｉｉ）セルラー／移動チャネルの１つまたは複数のチャネルだけが使用される場合の実施形態、または（ｉｖ）以上の組み合わせが使用される場合の実施形態が含まれる。
【００６７】
一部のケースでは、既存のデータ・サーバ４１０の構成を変更しないことが望ましいことがある。この問題に対処し、それでも、サービス・プロバイダ群のネットワーク・インフラストラクチャの構成を変更することなしに、移動局とデータ・サーバの間における高速で、高ＱｏＳの通信を可能にするため、以下の２つの実施形態が説明される。中間データ・サーバが、データ・サーバ（つまり、データの送信元および／または宛先）と通信サービス・プロバイダ群のインフラストラクチャの間に配置される。中間データ・サーバは、好ましくは、十分に確立されたシステムおよび方法を使用する高速リンクを介して、データ・サーバと通信する。さらに中間データ・サーバは、好ましくは、十分に確立されたシステムおよび方法を使用する高速リンクを介して、インターネットにも接続される。データ分割およびデータ組み合わせ、ユーザ認証、ならびに（ｉ）移動局とデータ・サーバの間、および（ｉｉ）移動局とインターネットの間で、高速で、高ＱｏＳの通信を提供することに関連する他の多くのサービスを可能にするのは、中間データ・サーバである。
【００６８】
図５に関連して以下に説明される第３の例示的な実施形態では、１つまたは複数のセルラー／移動サービス・プロバイダ、例えば、５０２によってサービスを提供される移動局５００と、データ・サーバ５０４またはインターネット５０６との間の高速通信が、可能にされる。データ・サーバ５０４は、好ましくは、高速リンク５１０を介して、中間データ・サーバ５０８と通信する。同様に、中間データ・サーバ５０８は、好ましくは、高速リンク５１２を介して、インターネット５０６と通信する。中間データ・サーバ５０８は、パケット交換（例えば、インターネット）網または回線交換（電話網などの）網を介して、移動局５００のセルラー／移動サービス・プロバイダ、例えば、５０２と通信する。
【００６９】
第３の例示的な実施形態は、前段で説明された第１の例示的な実施形態と同様であり、中間データ・サーバ５０８は、データ・サーバ５０８と、移動局５００の通信サービス・プロバイダ、例えば、５０２との間に配置されるという変更を伴う。この中間データ・サーバ５０８は、データ・サーバ５０４への高速アクセスを可能にするだけでなく、高速で、高ＱｏＳのインターネット５０６アクセスのために使用されることも可能である。中間データ・サーバ５０８は、好ましくは、十分に確立されたシステムおよび方法を使用するそれぞれの高速リンク５１０、５１２を介して、データ・サーバ５０４およびインターネット５０６と通信する。
【００７０】
移動局５００は、この場合、中間データ・サーバ５０８と通信し、サーバ５０８は、次に、（ｉ）移動局５００とデータ・サーバ５０４の間、および（ｉｉ）移動局５００とインターネット５０６の間のデータ通信に要求される諸機能を実行する。それらの機能には、（ｉ）ユーザ認証、（ｉｉ）データ・サーバ５０４から情報を取得すること／受信すること、そのデータを分割すること、およびそのデータを移動局５００に通信すること、（ｉｉｉ）異なるチャネル群を介して移動局５００から情報を受信すること／取得すること、データを組み合わせること、およびそのデータを、データ・サーバ５０４に、またはインターネット５０６に通信することなどのタスクが含まれる。
【００７１】
以上の説明、および第１の例示的な実施形態の説明を所与として、第３の実施形態における方法の完全さ、およびこの方法の利点が、当業者には明白となろう。
【００７２】
図６に関連して以下に説明する第４の例示的な実施形態では、１つまたは複数のセルラー／移動サービス・プロバイダ、例えば、６０２、およびその他のネットワーク、例えば、６０４（無線、有線）によってサービスを提供される移動局６００と、データ・サーバ６０６またはインターネット６０８との間における高速通信が可能にされる。データ・サーバ６０６は、好ましくは、高速リンク６１２を介して、中間データ・サーバ６１０と通信する。同様に、中間データ・サーバ６１０は、好ましくは、高速リンク６１４を介して、インターネット６０８と通信する。中間データ・サーバ６１０は、パケット交換（例えば、インターネット）網または回線交換（電話網などの）網を介して、移動局６００のセルラー／移動／有線サービス・プロバイダ、例えば、６０２と通信する。
【００７３】
第４の実施形態は、前段で説明された第２の実施形態と同様であり、中間データ・サーバ６１０は、データ・サーバ６０６と、移動局６００の通信サービス・プロバイダ、例えば、６０２との間に配置されるという変更を伴う。中間データ・サーバ６１０は、データ・サーバ６０６への高速アクセスを可能にするだけでなく、高速で、高ＱｏＳのインターネット６０８アクセスのために使用されることも可能である。中間データ・サーバ６１０は、好ましくは、十分に確立されたシステムおよび方法を使用する高速リンク６１２、６１４を介して、データ・サーバ６０６およびインターネット６０８と通信する。
【００７４】
移動局６００は、この場合、中間データ・サーバ６１０と通信し、サーバ６１０は、次に、（ｉ）移動局６００とデータ・サーバ６０６の間、および（ｉｉ）移動局６００とインターネット６０８の間のデータ通信に要求される諸機能を実行する。それらの機能には、（ｉ）ユーザ認証、（ｉｉ）データ・サーバ６０６から情報を取得すること／受信すること、そのデータを分割すること、およびそのデータを移動局６００に通信すること、（ｉｉｉ）異なるチャネル群を介して移動局６００から情報を受信すること／取得すること、データを組み合わせること、およびそのデータを、データ・サーバ６０６に、またはインターネット６０８に通信することなどのタスクが含まれる。
【００７５】
以上の説明、および第２の実施形態の説明を所与として、第４の実施形態における方法の完全さ、およびこの方法の利点が、当業者には明白となろう。
【００７６】
以上に説明された諸実施形態は、１つのデータ・サーバと移動局の間におけるデータ通信を扱う。多くのケースで、移動局が、複数のデータ・サーバと通信することを所望することがあり、あるいはいくつかのデータ・サーバが、同時に、ある移動局と通信することを所望することがある。
【００７７】
移動局が、１つまたは複数のデータ・サーバと同時に通信することを所望する場合、移動局は、可能なすべての通信リソース（１つまたは複数のサービス・プロバイダ、その他の無線ネットワーク、有線ネットワーク、その他）を取得し、それらのリソースを、それらのデータ・サーバの各々に対して同時の／独立の通信リンクを確立するような形で、分割する。それらのリソースは、継続的に監視され、それらのリソースの必要性および利用可能性に依存して、それぞれの通信リンクに再割り当てされることが可能である。
【００７８】
図７および図８に関連して以下に説明される第５の例示的な実施形態では、それぞれの通信サービス・プロバイダ、例えば、７０４によってサービスを提供される２つの移動局７００、７０２間の高速通信が確立される。一般に、移動局７０１、７０２に対するサービス・プロバイダ、例えば、７０４は、同一ではないことがある。例えば、１つは、ＳｉｎｇＴｅｌからサービスを獲得してもよく、ＳｔａｒＨｕｂから自分のサービスを獲得する友人に、高いデータ転送速度のコール（例えば、ビデオ通話（ｖｉｄｅｏ  ｃａｌｌｉｎｇ））を行うことを所望するかもしれない。
【００７９】
２つの移動局７００、７０２は、使用される１つまたは複数の通信パス、データ転送速度、それらのチャネルにアクセスするための電子アドレス（ＴＣＰ／ＩＰアドレス、電話番号、その他のアドレス）、ならびにそれらのチャネル上で通信するための全体的なプロトコルに関して、まず、ハンドシェークを確立する。データ転送のための通信パスが、移動局に関するサービス・プロバイダの各々に対するそれぞれのＳＩＭを介して確立される。次いで、送信機（つまり、２つの移動局７００、７０２のいずれか）が、高速データ・ストリームを取得し、そのデータ・ストリームを、それらの通信パスの各々を介して伝送するのに適したデータ・ストリーム群に分割し、それらのデータ・ストリームをそれらの通信パス上で伝送する。受信機（つまり、２つの移動局７００、７０２のいずれか）が、それらの通信パスを介して着信するデータ・ストリーム群を取得し、それらのデータ・ストリームを組み合わせて、最終的な使用のための１つのデータ・ストリームにする。また、使用されるべき通信パスの組は、すべてのデータ転送に関して、移動局７００、７０２において特定され、格納されてもよい。また、その組は、動的な性質であってもよい。
【００８０】
ハンドシェークは、両方のモジュール局７００、７０２が通信する相手のサーバ７０６の助けを借りて、２つの移動局７００、７０２間で確立されてもよい。ハンドシェークが確立されると、２つの移動局７００、７０２は、データ・サーバを介して、または互いに直接に、データ転送を実行することができる。
【００８１】
代替的に、ハンドシェークは、図８に示されるとおり、一方が他方と直接連絡をとった際、移動局７００、７０２によって確立されてもよい。次いで、移動局７００、７０２は、直接に、またはデータ・サーバ７０６の助けを借りて、データ転送を実行することに進んでもよい。
【００８２】
すべての実例で、移動局７００、７０２は、異なる通信サービス・プロバイダによってサービスを提供されてもよい。
【００８３】
移動局とデータ・サーバの間の通信に関する実施形態、および２つの移動局間の通信に関する実施形態に基づき、本発明は、異なる諸実施形態において、移動局が、データ・サーバ、および別の移動局と同時に通信することを所望する場合にもまた、使用されることが可能であることが、当業者には明白となろう。
【００８４】
異なる例示的な諸実施形態の以上の説明では、移動局は、説明される通信技術を実施するためのコンポーネントおよび／または回路を一体化して備えていてもよいことに留意されたい。しかし、異なる諸実施形態では、本発明の諸実施形態による通信技術を実施するような形で、既存の移動局と対話するように適合された補助デバイスが提供されてもよいことが、当業者には理解されよう。補助デバイスと既存の移動局の間の対話は、例えば、Ｂｌｕｅｔｏｏｔｈなどのアドホックの（ａｄ  ｈｏｃ）無線技術を使用して確立されてもよい。補助デバイスは、例えば、クリップで取り付ける設計であっても、または既存の通信デバイスのためのバッテリ・パックと一体化されてもよい。
【００８５】
位置特定サービス
移動デバイスに関する位置特定は、サービスのデリバリ（ｄｅｌｉｖｅｒｙ）のために極めて重要になっている。これに関して、本発明の諸実施形態は、以下の形で位置特定サービスを提供するように使用されることが可能である。移動局が、３つのセルラー／移動サービス・プロバイダのデータ・サービスを使用するように加入する場合。各セルラー／移動サービス事業者は、その事業者の独自のネットワーク・インフラストラクチャを使用して独立の形で、位置情報を移動局に提供してもよい。その情報は、移動局についてのより正確な情報を獲得するような形で、組み合わされることが可能である。例えば、セルラー／移動ネットワークの各々が、ｃｅｌｌ＿ＩＤ（その特定の移動局が入っている、セルラー／移動サービス・プロバイダのセルの地理的位置）を提供する場合、次いで、複数のセルラー／移動サービス・プロバイダのｃｅｌｌ＿ＩＤの交差が、移動局の位置についてのより正確な情報をもたらす。
【００８６】
同様の形で、異なるセルラー／移動サービス・プロバイダ、およびその他の無線／有線サービス・プロバイダから獲得された位置情報が組み合わされて、移動局の位置についてのより正確な情報が獲得され、次いで、セキュリティで保護された／受信位置ベースのサービスのために、移動局、および位置ベースのサービス・プロバイダによって利用されることも可能である。
【００８７】
データ・コンバイナおよびデータ・スプリッタ
異なる諸実施形態において、１つまたは複数のチャネルを各々が含んでもよい、独立のパスを介して通信するため、データを分割するために、いくつかの戦略が採用されることが可能である。一般に、サイズＳのデータは、異なるサイズ、例えば、Ｓ１、Ｓ２、．．．、ＳＫを各部分が有してもよい、Ｋ個の部分に分割される。次いで、それらの部分は、総伝送時間を最小限に抑えるような形で使用されている複数のチャネル上で送信される。例えば、データ転送速度Ｄ１、Ｄ２、．．．、ＤＬを有するＬ個のチャネルが使用されている場合、次いで、データは、サイズＳ１が、Ｓ１＝Ｄ１＊Ｔ、Ｓ２＝Ｄ２＊Ｔ、．．．、ＳＬ＝ＤＬ＊Ｔ、ただし、Ｔ＝Ｓ／Ｄ、Ｄ＝Ｄ１＋Ｄ２＋．．．＋ＤＬによって与えられるように、Ｌ個の部分に分割されてもよい。これは、データ伝送に、最小の時間量がかかることを確実にする。さらに、データ転送速度が変化する場合（該当するように、何回も）、次いで、ファイル分割が、動的な形で行われてもよい。１つの戦略は、データ伝送が行われるにつれ、Ｋ個の部分を動的に作成することであることが可能である。Ｋは、Ｌよりもはるかに大きいことが可能である。チャネルが、そのチャネルに割り当てられた部分の伝送を完了すると、次いで、次の部分が、伝送のための残りのデータから作成され、割り当てられることが可能であり、以下同様である。また、送信機が、それぞれのチャネル上のデータ転送速度を監視し、それに応じて部分のサイズを調整することもできる。より高いデータ転送速度を有するチャネルは、より大きいサイズを得るといった具合である。
【００８８】
セキュリティおよび信頼性
データ通信のために同時に使用される、１つまたは複数のチャネルを各々が含んでもよい、複数の通信パスが、本発明の異なる諸実施形態において、通信のセキュリティ／信頼性を向上させることができる。例えば、データは、送信機によって様々なパス上で暗号化され、受信機において解読されてもよい。さらに、複数のパスの使用は、スペクトル拡散ベースの（直接シーケンス拡散技術、または他のそのような技術）セキュリティで保護された／信頼できる通信システムを構築する仕方をもたらす。また、信頼性は、符号化技術などの技術の使用によって向上させられることもある。暗号化／スペクトル拡散／符号化の結果、作成される追加のデータは、複数のパス上で送信されてもよい。また、送信機は、情報のセキュリティで保護された交換を可能にするために、パス・ホッピング（ｐａｔｈｓ ｈｏｐｐｉｎｇ）（擬似ランダムな形での異なるパスの使用）も行ってもよい。
【００８９】
そのような諸実施形態では、セキュリティ強化は、ユーザ・データ転送速度伝送の実際の増加なしに、提供されてもよいことに留意されたい。このため、本発明の諸実施形態は、目的として、高められたユーザ・データ伝送速度をもたらすことに限定されない。むしろ、本発明の諸実施形態は、独立した付加価値の特徴として、セキュリティ、信頼性、またはその両方をもたらしてもよい。しかし、本発明の異なる諸実施形態では、ユーザ・データ転送速度増加、セキュリティおよび／または信頼性向上が、特定の要件を選択的に満足させる能力とともに同時の利点としてもたらされてもよいことが、当業者には理解されよう。
【００９０】
データ圧縮を介して情報伝送の速度を増加させること
通信は、本発明の諸実施形態では、受信機と送信機（移動端末装置、および「中間サーバ」を含むデータ・サーバであることが可能な）の間で行われるので、送信機は、データ、およびデータの区画／部分に対して、全体的な有効データ転送速度をさらに高めるような形で、データ圧縮技術を使用することができる。そのケースでは、伝送されるべき情報は、圧縮され、次いで、複数のパスを介する伝送のために分割される。受信機において、様々な部分がまず、組み合わせられ、次いで、伸張アルゴリズムが使用されて、元の情報が構築される。別の実施形態では、伝送されるべき情報はまず、分割され、次いで、複数のパスを介する伝送のために圧縮される。受信機において、様々な部分がまず、伸張アルゴリズムを使用して伸張されて、元の情報が構築され、次いで、元の情報を構築するように組み合わせられる。データ圧縮アルゴリズムは、独自のアルゴリズムであって、移動体およびデータ・サーバだけに知られていてもよい。
【００９１】
通信パス上のデータ・ストリームをアプリケーションと結び付けること（ｉｎｔｅｒｆａｃｉｎｇ）
本発明の諸実施形態では、データ・サブストリームは、複数の通信パス上で伝送されてもよいので、ビデオ通話などのアプリケーションによる、それらのサブストリームの生成および／または処理が、次に考慮される。複数のサブストリームを生成し、かつ／または処理する要求される機能を含む、カスタマイズされたアプリケーションが、提供されてもよいことが当業者には理解されよう。代替的に、例えば、マルチメディア・プレーヤ・アプリケーションなどの既存のアプリケーションが、複数のデータ・ストリームを生成すること、および／または処理することができる場合、本発明の諸実施形態において利用されるサブストリームは、関係のあるアプリケーションの変更の必要なしに、そのようなアプリケーションに直接に結び付けられてもよい。
【００９２】
ローミング
本発明の諸実施形態は、ローミング条件の下におけるシームレスな動作に適している。本発明の諸実施形態は、関わりのあるサービス・プロバイダの既存のネットワーク・インフラストラクチャの変更の必要なしに、実施されることが可能である。したがって、ローミング能力を提供するために、サービス・プロバイダによって所定位置に置かれる、いずれの既存のローミング構成体／インフラストラクチャ設備（ｐｒｏｖｉｓｉｏｎｓ）も、関係のある通信パスのインフラストラクチャ特性に単に影響を与えるに過ぎない。しかし、より高いレベルでは、１つまたは複数の通信パスの選択的利用は、ローミング条件の下で、本発明の諸実施形態において変わらないままである。各通信パスは、ローミング、および１つまたは複数のさらなるサービス・プロバイダの結果としての関与を伴って、または伴うことなしに、サービス・プロバイダによって提供される１つまたは複数の通信チャネルを含む。
【００９３】
図９は、本発明の実施形態による、１つまたは複数の通信ネットワークを介して通信を行う方法を示す流れ図である。ステップ９００で、通信ネットワークの１つのネットワークの１つまたは複数の通信チャネルを各々が含む、Ｌ≧２個の通信パスが、第１のデバイスと第２のデバイスの間で選択的に確立される。ステップ９０２で、第１のデバイスからの通信データ・ストリームが、少なくともＬ個のサブストリームに分割される。ステップ９０４で、それらのサブストリームが、Ｌ個の通信パスを介して伝送される。ステップ９０６で、それらのサブストリームが、第２のデバイスにおける処理のために組み合わせられる。
【００９４】
本発明の諸実施形態は、１つまたは複数のセルラー／移動／無線ネットワーク・サービス・プロバイダのネットワーク・リソースをより効率的な形で同時に利用して、無線／移動体利用者により良いＱｏＳを提供するシステムおよび方法を提示する。本発明の諸実施形態は、以下の特徴の１つまたは複数を含んでもよい。
【００９５】
１つまたは複数のセルラー／移動サービス・プロバイダ（例えば、１つは、オレンジであり、他は、ボーダフォンである）からの、すべて１つのタイプ（例えば、すべてがＧＳＭチャネルまたはＧＰＲＳチャネルまたはＷＬＡＮチャネル）の独立したパスが、送信機および／または受信機において独立に／同時に組み合わせられて、移動局（ＭＳ）と１つまたは複数のデータ・サーバの間で高いデータ通信をもたらす。
【００９６】
１つまたは複数のセルラー／移動サービス・プロバイダからの、すべて１つのタイプの独立したパスが、送信機および／または受信機において独立に／同時に組み合わせられて、２つ以上の移動局（ＭＳ）間で高いデータ通信をもたらす。
【００９７】
１つまたは複数のセルラー／移動サービス・プロバイダからの、すべて１つのタイプの独立したパスが、送信機および／または受信機において独立に／同時に組み合わせられて、２つ以上の移動局（ＭＳ）と１つまたは複数の情報データ・サーバの間で高いデータ通信をもたらす。
【００９８】
１つまたは複数の通信サービス・プロバイダ（セルラー／移動サービス・プロバイダ、無線サービス・プロバイダ、有線サービス・プロバイダ）からの、異なるタイプ（ＧＳＭ、ＣＤＭＡ、３Ｇ、ＷＬＡＮ、Ｂｌｕｅｔｏｏｔｈ、ＵＷＢ、ケーブル、ＡＤＳＬ、ダイヤルアップ、その他）の独立したパスが、送信機および／または受信機において独立に組み合わせられる場合の、以上３つの項目。
−本発明の諸実施形態に適合された移動局およびデータ・サーバ。
−本発明の諸実施形態が使用される場合の、負荷平衡、価格設定、コール・ハンドオフ、ローミングなどのサービス品質（ＱｏＳ）を構成する他のパラメータの向上。
−無線／セルラー／移動システムにおける位置特定、ならびに移動局（ＭＳ）のための位置特定の使用を向上させる、１つまたは複数の通信サービス・プロバイダからの独立したパスの使用。
【００９９】
例示的な諸実施形態は、すべての利用可能な通信リソースを使用して、セルラー／移動／無線／有線通信のための高ＱｏＳ（高いデータ転送速度、ならびにＱｏＳの他の諸態様）を可能にしようと努める。また、説明される例示的な諸実施形態は、様々な通信サービス・プロバイダのネットワーク・インフラストラクチャが、独立した形で利用されるようになっている。このため、様々な通信サービス・プロバイダのネットワーク・インフラストラクチャの変更も、それらのネットワーク・インフラストラクチャが、同時に、独立に利用される際に、一切、要求されなくてもよい。
【０１００】
特定の諸実施形態に示されるとおり、広く説明される本発明の趣旨または範囲を逸脱することなく、本発明に多数の変形および／または変更が行われてもよいことが、当業者には理解されよう。本実施形態は、したがって、すべての点で、例示的であり、限定的ではないものと解釈されるべきである。
【０１０１】
略語
ＬＡＮ  ローカル・エリア・ネットワーク
ＭＡＮ  メトロポリタン・エリア・ネットワーク
ＷＬＡＮ  無線ローカル・エリア・ネットワーク
Ｗｉ−Ｆｉ  ＷＬＡＮ技術の通称
ＣＤＭＡ  符号分割多重アクセス
ＷＣＤＭＡ  広帯域ＣＤＭＡ
ＣＤＭＡ２０００  別の広帯域バージョンのＣＤＭＡ
ＵＭＴＳ  ユニバーサル・モバイル・テレコミュニケーション・システム
ＰＤＡ  パーソナル・デジタル・アシスタント
ＩＳ−９５  第２世代ＣＤＭＡ技術、ＣＤＭＡＯｎｅとしても知られる
２Ｇ  第２世代セルラー／移動通信システム
２．５Ｇ  第２．５世代セルラー／移動通信システム
３Ｇ  第３世代
ＥＤＧＥ  ＧＳＭ進化のための拡張データ転送速度（Ｅｎｈａｎｃｅｄ  Ｄａｔａ  Ｒａｔｅｓ  ｆｏｒ  ＧＳＭ  Ｅｖｏｌｕｔｉｏｎ）
ＧＰＲＳ  汎用パケット無線サービス
ＵＷＢ  ウルトラワイドバンド
ＧＳＭ  グローバル・モバイル・システム
ＨＳＣＳＤ  高速回線交換データ
ＤＳＬ  デジタル加入者線
ＡＤＳＬ  非対称ＤＳＬ
ＳＩＭ  ＧＳＭのための加入者ＩＤモジュール
ＵＳＩＭ  ユニバーサル加入者ＩＤモジュール
【図面の簡単な説明】
【０１０２】
【図１】異なる移動／セルラー・サービス・プロバイダのセル・レイアウトを示す概略図である。
【図２】１つまたは複数の通信サービス・プロバイダからの通信の利用可能性を示す概略図である。
【図３】例示的な実施形態における移動局とデータ・サーバの間の通信を示す概略図である。
【図４】例示的な実施形態における移動局とデータ・サーバの間の通信を示す概略図である。
【図５】例示的な実施形態による基地局とデータ・サーバまたはインターネットの間の通信を示す概略図である。
【図６】例示的な実施形態による基地局とデータ・サーバまたはインターネットの間の通信を示す概略図である。
【図７】例示的な実施形態による２つの移動局間の通信を示す概略図である。
【図８】例示的な実施形態による２つの移動局間の通信を示す概略図である。
【図９】本発明の実施形態による、１つまたは複数の通信ネットワークを介して通信を行う方法を示す流れ図である。
【国際調査報告】
2007520155.tif 000012
2007520155.tif 000013
2007520155.tif 000014